(57)【特許請求の範囲】
【請求項１】
ユーザのデータ端末を介して通信することによって、ユーザに対する栄養素及び／又は医療物質の適性に関連する提案及び／又は情報を提供するための方法であって、
１）ａ．或る確率で治癒するように又は害を与えるように少なくとも１つの健康特性へ影響を与える少なくとも１つの遺伝子及び／又は機能状態にある少なくとも１つの遺伝子の確率重み付け係数に関する情報を、所定のフォーマットでデータ機器によってデータベースに伝達すること、
ｂ．或る確率で治癒するように又は害を与えるように前記健康特性に影響を与える栄養素及び／又は医療物質の確率重み付け係数に関する情報を、所定の情報フォーマットでデータ機器によって前記データベースに伝達すること、
ｃ．ユーザの遺伝子及び／又は機能状態にあるユーザの遺伝子の指示を所定のフォーマットでデータ機器によって前記データベースに伝達すること、
によってサーバでデータベースを作成する段階と、
２）指示されたユーザの遺伝子と少なくとも１つの健康特性との間の確率重み付け係数をサーバで選択し、前記遺伝子は、通常及び／又は機能状態にある時に、健康特性へ影響を与える段階と、
３）段階２）の前記健康特性と或る確率で治癒するように又は害を与えるように前記健康特性に影響を与える栄養素及び／又は医療物質との間の確率重み付け係数をサーバで選択する段階と、
４）最大に治癒するように前記健康特性に影響する栄養素及び／又は医療物質が最適な提案として提供されるように、ユーザに対する栄養素及び／又は医療物質の適性を述べるために或る順番で、段階３）で決定された確率重み付け係数をサーバで配列する段階と、
５）ユーザのデータ端末を介してユーザに前記最適な提案をサーバによって伝達する段階と
を具備することを特徴とする方法。
【請求項２】
データベースは、以下の群から選択されるべき少なくとも１対に対する少なくとも１つの確率重み付け係数によって伝達され、少なくとも１つの栄養素及び／又は医療物質と共に少なくとも１つの遺伝子は、或る確率で治癒するように又は害を与えるように少なくとも１つの健康特性に影響を与え、ユーザは、或る確率で少なくとも１つの栄養素及び／又は医療物質にアレルギであることを特徴とする請求項１に記載の方法。
【請求項３】
或る確率及び栄養素及び／又は医療物質に関する確率で治癒するように又は害を与えるように前記健康特性に影響を与える栄養素及び／又は医療物質は、ユーザに前記栄養素及び／又は医療物質の適性を述べる情報の定義が、前記健康特性への治癒効果を有する最高確率を有する栄養素及び／又は医療物質が最重要として判別されるような順序に配置される時に使用されたことを特徴とする請求項１又は２に記載の方法。
【請求項４】
ユーザによって消費され又は消費するよう意図される少なくとも１つの栄養素及び／又は医療物質に関する情報は、データ端末機器の支援で配信されることを特徴とする請求項１に記載の方法。
【請求項５】
ユーザの遺伝子情報に追加して、ユーザの識別情報（ＩＤ）、少なくとも一部のユーザの遺伝子マップ、ユーザの体重、ユーザの身長、ユーザの性別及び／又はユーザの年齢は、データベースに伝達され、ユーザによって消費される栄養情報及び／又は医療物質の他に、データ端末機器は、栄養素及び／又は医療物質の量を配信するために使用され、ユーザによって消費される栄養素及び量の栄養情報及び／又は医療物質の情報は、累積的に前記データベースに登録され、それらは、ユーザの識別情報に結合されることができることを特徴とする請求項１に記載の方法。
【請求項６】
個人に合わせた摂取限度は、少なくとも１つの栄養素及び／又は医療物質に設定され、通知は、所定の時間期間の間における前記栄養素及び／又は医療物質の累積量がユーザについて定義される前記個人に合わせた摂取限度より高いか又は低い場合、形成されることを特徴とする請求項１〜５のうち何れか１項に記載の方法。
【請求項７】
選択された時間期間内にユーザによって消費される栄養素の物質及び／又は医療物質の累積量は、前記栄養素及び／又は医療物質に設定された摂取限度と比較され、少なくとも１つの栄養素又は医療物質が選択され、前記時間期間における累積量は、所定の摂取限度の領域内ではなく、治癒するように或る健康特性に影響を与える前記物質に対する確率重み付け係数の値が所定の限度を超える場合、前記栄養素及び／又は医療物質は、前記ユーザが摂取するよう提案されることを特徴とする請求項１〜６のうち何れか１項に記載の方法。
【請求項８】
少なくとも１つの以下のシステムで情報をデータベースに配信する方法であって、インターネットを介して、又はデジタルテレビを介して移動局、ＰＤＡ装置、スマートカード、電磁カードの支援を備えることを特徴とする請求項１〜７のうち何れか１項に記載の方法。
【請求項９】
ユーザのデータ端末を介して通信することによって、ユーザに対する栄養素及び／又は医療物質の適性に関連する提案及び／又は情報を提供するためのシステムであって、
１）ａ．或る確率で治癒するように又は害を与えるように少なくとも１つの健康特性へ影響を与える少なくとも１つの遺伝子及び／又は機能状態にある少なくとも１つの遺伝子の確率重み付け係数に関する情報を、所定のフォーマットでデータ機器によってデータベースに伝達すること、
ｂ．或る確率で治癒するように又は害を与えるように前記健康特性に影響を与える栄養素及び／又は医療物質の確率重み付け係数に関する情報を、所定のフォーマットでデータ機器によって前記データベースに伝達すること、
ｃ．ユーザの遺伝子及び／又は機能状態にあるユーザの遺伝子の指示を所定のフォーマットでデータ機器によって前記データベースに伝達すること
によってサーバでデータベースを作成する段階と、
２）指示されたユーザの遺伝子と少なくとも１つの健康特性との間の確率重み付け係数をサーバで選択し、前記遺伝子は、通常及び／又は機能状態にある時に、健康特性へ影響を与える段階と、
３）段階２）の前記健康特性と、或る確率で治癒するように又は害を与えるように前記健康特性に影響を与える栄養素及び／又は医療物質との間の確率重み付け係数をサーバで選択する段階と、
４）最大に治癒するように前記健康特性に影響する栄養素及び／又は医療物質が最適な提案として提供されるように、ユーザに対する栄養素及び／又は医療物質の適性を述べるために或る順番で、段階３）で決定された確率重み付け係数をサーバで配列する段階と、
５）前記サーバとデータ通信しているユーザのデータ端末を介してサーバからユーザに前記最適な提案を伝達する段階と
を行うことを特徴とするシステム。
【請求項１０】
システムは、少なくとも１つのデータ端末機器を具備し、ユーザによって摂取されたか又は摂取するよう意図された少なくとも１つの栄養素及び／又は医療物質に関する情報は、ユーザ識別情報と共にデータベースに配信され、システムは、累積的にユーザによって摂取された栄養素及び／又は医療物質の量をデータベースに登録し、それらをユーザの識別情報に結合できるようさらに配置されることを特徴とする請求項９に記載のシステム。
【請求項１１】
データベースは、少なくとも１つの栄養素及び／又は医療物質に対する個人に合わせた摂取限度を具備し、システムは、所定の時間期間における前記栄養素及び／又は医療物質の累積量が、前記栄養素及び／又は医療物質のユーザについて定義される個人に合わせた摂取限度より高いか又は低い場合、通知を形成するよう配置されることを特徴とする請求項９又は１０に記載のシステム。
【請求項１２】
システムは、少なくとも一つの栄養素又は医療物質を選択するために、選択された時間期間内にユーザによって消費された栄養素及び／又は医療物質の累積物質量と、前記栄養素及び／又は医療物質について設定された摂取限度とを比較し、前記時間期間における累積量が定義された摂取限度より低く、治癒するように或る確率を含む前記物質に対する確率重み付け係数の値が予め設定された限度より高い場合、前記ユーザによって消費される前記栄養素及び／又は医療物質を提案することを特徴とする請求項９又は１０に記載のシステム。
【請求項１３】
システムは、情報をデータベースに配信するための少なくとも１つの以下の手段を具備し、インターネットを介して、又はデジタルテレビを介して移動局、ＰＤＡ装置、スマートカード、電磁カードの支援を備えることを特徴とする請求項９〜１２のうち何れか１項に記載のシステム。
【請求項１４】
ユーザのデータ端末を介して通信することによってユーザに対する栄養素及び／又は医療物質の適性に関する提案及び／又は情報を提供するためのプログラムを格納したコンピュータ読み取り可能な媒体であって、
１）ａ．或る確率で治癒するように又は害を与えるように少なくとも１つの健康特性へ影響を与える少なくとも１つの遺伝子及び／又は機能状態にある少なくとも１つの遺伝子の確率重み付け係数に関する情報が、所定の情報フォーマットでデータ機器によってデータベースに伝達され、前記データベースによって前記情報を受信すること
ｂ．或る確率で治癒するように又は害を与えるように前記健康特性に影響する栄養素及び／又は医療物質の確率重み付け係数に関する情報が、所定のフォーマットでデータ機器によって伝達され、前記データベースによって受信すること
ｃ．ユーザの遺伝子及び／又は機能状態にあるユーザの遺伝子の指示が所定のフォーマットでデータ機器によって伝達され、前記データベースによって指示を受信すること
によってサーバでデータベースを作成し、
２）指示されたユーザの遺伝子と少なくとも１つの健康特性との間で確率重み付け係数をサーバで選択し、前記遺伝子は、通常及び／又は機能状態にある時に、健康特性へ影響を与え、
３）段階２）の前記健康特性と、或る確率で治癒するように又は害を与えるように前記健康特性に影響する栄養素及び／又は医療物質との間で確率重み付け係数をサーバで選択し、
４）最大に治癒するように前記健康要素に影響する栄養素及び／又は医療物質が最適な提案として提供されるように、ユーザに対する栄養素及び／又は医療物質の適性を述べるために或る順番で、段階３）で決定された確率重み付け係数をサーバで配列し、
５）前記プログラムがサーバで動作する時、前記サーバとデータ通信しているユーザのデータ端末を介してサーバからユーザに前記最適な提案を伝達する
ように構成されることを特徴とするプログラムを格納したコンピュータ読み取り可能な媒体。
【発明の詳細な説明】
【技術分野】
【０００１】
本発明は、栄養素及び／又は医療物質の適正に関連する提案及び／又は情報を提供するための方法及びシステムに関する。具体的には、本発明は、異なる当事者に対する栄養素及び／又は医療物質の適性に関連する情報の形成、及び異なる当事者とシステムとの間の情報の伝達に関する。
【背景技術】
【０００２】
過去数十年で、人間の平均寿命は、医療法の進歩により大幅に伸びた。同時に、特に食材に対する異なる種類のアレルギ等、新しい病気及び疾患が出現してきた。更に、肥満は、例えば、人手による仕事が軽減され、また、自動化により人の日常の運動が継続的に減少している特に先進国において一般的になってきた。同時に、例えば、いわゆるファーストフードレストランが更に日常化するにつれて、人の食習慣が変化してきた。現在、特定の特製の食材及び健康食品は、豊富に供給されているが、それにもかかわらず、大半の人々は、例えば、エネルギ摂取、疾患又は潜伏性疾患に対して、不健康に又は不適切に飲食しており、また、彼らが摂取する栄養に含まれる栄養素又は彼らの健康に対するそれらの影響について考えていない。例えば、疾患の生成及び進行において、頻繁に摂取される栄養に含まれる栄養素の有意性さえ実現されず、また、健康でいることが自明のことであると考えられている。
【０００３】
しかしながら、摂取される栄養は、ほとんど全ての疾患の生成及び進行において重要な役割を果たす。特に、減量中の人、アレルギ性の人、糖尿病の人、他の疾患を患っている人々等の特別なダイエットを行なっている人々、及びスポーツマンやそれ以外に自分の健康に注意している人々にとっては、栄養や医療物質に含まれる添加物や栄養素、及びそれらの量及び／又は割合は、最適な結果のために、健康でいるために及び／又は疾患の悪化を防ぐために、特に重要である。しかしながら、健康な人々も、健康で過ごし、元気に仕事ができ、活気があるようにするために、自分が摂取する栄養に含まれる栄養素の質、量及び割合について注意すべきことに留意する必要がある。
【０００４】
しかしながら、摂取される栄養に含まれる栄養素を監視することは、難しい又は手間がかかると思われることが多く、従って、これは、ほとんどが、何らかの理由で特別なダイエットを行なっている人々にとってのみ妥当であると考えられている。また場合によっては、人々が、摂取される食品及び／又は飲み物の栄養素含有量、又は、例えば、疾患を引き起こしたりアレルギを悪化させたりする可能性のある食品に含まれる他の物質を監視することは難しいことがある。例えば、人々は、食材中にある自分にとって有害な栄養素を全て覚えたり一般的に知ったりすることが困難なことがある。この場合、例えば、買物の際、ある製品の適性を知ることは難しいことがある。特に、一日又は一週間で摂取する栄養素の全体的な影響について考えた場合でも、一日又は一週間で摂取する栄養素の全体的な影響に対して、ある食材の適性、良さ及び／又は影響を見つけるのは、ほとんど不可能である。
【０００５】
栄養に含まれる栄養素についてユーザに通知するための解決策は、従来、例えば、特許文献１及び特許文献２から知られている。特許文献１の解決策では、個人的な栄養素情報が、特別な栄養素情報システムを用いて、ユーザによって提供される食物製品を識別する情報を利用して、また、ユーザの個人的なデータを利用して、ユーザに合わせて形成される。また、特許文献２の解決策では、レストランによって提供される一人前の食事が、顧客の食事の注文に従って、１つ又は複数の標準化された食品品目又は構成材料で調理される場合、この食事は、標準化された又は調整された量の食品成分を含み、また、一人前の食事の栄養素リストは、顧客に渡すことができる。
【０００６】
また、例えば、ダイエット又は減量中、人の栄養素の供給を監視するための様々なコンピュータプログラム及びデータ端末装置が知られている。例えば、公報米国特許第５、４１２、５６４号に開示されている解決策では、消費者の栄養摂取を監視でき、また、栄養摂取に関する情報を記録し得る。また、特許文献３では、その人によって摂取される食品、栄養素、及び他の食品成分を測定するために用い得る対話式コンピュータ化栄養測定装置の解決策が開示されている。
【０００７】
しかしながら、公知の解決策による機構には、幾つかの欠点が含まれる。これらの解決策は、通常、食材の一定の栄養素を監視することを主な目的にしており、また、それらが、例えば、或る食品又は成分に含まれる栄養素と、アレルギの原因となる物質の識別子情報等、ユーザによって提供される情報とを直接比較することによって主に実現される場合、上述した食品又は成分が、特定のユーザに不適切な栄養素を含むならば、本解決策によるシステムが、ユーザにこのことを通知する。しかしながら、本解決策による機構は、例えば、ユーザの遺伝学的遺伝子型及びユーザのダイエットにおける栄養素含有量、添加物、栄養素及び／又はそれらの割合に対するこれによって生じる特別な要件を考慮しない。
【０００８】
更に、公知の解決策によるシステムは、それらのユーザインターフェイスの柔軟性が無いため拙劣である。通常、公知の解決策のシステムは、例えば、商店における特別な栄養情報システムと共に用いられるように構成されており、この場合、本機構には、当該商店で販売される製品の栄養含有量に関する情報が含まれる。第２の公知の解決策において、ユーザは、自分のホームコンピュータを用いて、例えば、ＣＤＲＯＭディスクで供給されるデータベースから栄養素に関する情報を検索し得る。しかしながら、公知の解決策のユーザインターフェイスは、ユーザの動きを制限し、この場合、ある食材の栄養素及び／又はこれら栄養素のいわゆるユーザに対する適性を明確に調べることが不可能な状況が起こり得ることが多い。更に、公知の解決策の機構において、ユーザによって摂取される全ての栄養素の量及び割合を制御すること又は最新状態に維持することは、公知の解決策による機構は場所が束縛されるため、困難である。
【０００９】
最先端の解決策では、ユーザを処置する医療従事者が、ユーザによって摂取される栄養素及び／又は医療物質の供給を監視するのは、更に困難である。更に、最先端の解決策は、有効に機能する解決策を提示しておらず、この場合、医者、看護師又はユーザは、例えば、栄養情報システムにおいて、ユーザに有害な物質のリストを簡単に変更する可能性が提供される。最先端の解決策の問題は、機構が、例えば、ユーザが突然アレルギになったり、また、ユーザにとって適切な又は不適切な食品のデータベースを早く更新したりすべき状況では、融通が利かず柔軟性がないことである。
【先行技術文献】
【特許文献】
【００１０】
【特許文献１】公報米国特許第６，０２４，２８１号
【特許文献２】公報米国特許第６，０３８，５４６号
【特許文献３】公報米国特許第５，２３３，５２０号
【発明の概要】
【発明が解決しようとする課題】
【００１１】
本発明の目的は、最先端技術の前記欠点を低減し得るように栄養及び薬剤情報サービスを配列するための解決策を策定することである。本発明は、ユーザの可能性のある疾患、特別なダイエット、環境条件並びに遺伝子型、及び入手可能な医学的及び生物学的研究情報を考慮して、いかに簡単にユーザが食材及び／又は医療物質に含まれる栄養素の量及び／又は割合の適性を調べ得るかについて解決することを目的とする。更に、本発明の目的は、ユーザの遺伝子型、可能な疾患及び環境条件を考慮して、個別化された最適な栄養及び代謝条件及び可能な薬剤をユーザに適応し得る解決策を策定することである。
【００１２】
本発明の目的は、独立請求項に記載された段階によって達成される。本発明の目的は、ユーザの遺伝学的特性、可能な疾患、環境条件及び／又は摂取される栄養及び／又は医療物質が、ユーザにとって最適な栄養及び／又は薬剤を決定するための医学的及び生物学的研究から得られる情報に対して分析されるように実現される。更に、本発明の目的は、摂取される物質における栄養素の適性が、学習式ニューロファジィシステム及び方法を用いる栄養及び薬剤情報システムを少なくとも部分的に利用して、ユーザに適切な個別化された栄養に対して決定されるように実現される。更に、本発明の目的は、ユーザ及びシステムの移動性が、本発明の栄養及び医療物質情報システムの少なくとも一部が移動するように構成することによって、可能になるように実現される。
【課題を解決するための手段】
【００１３】
ユーザに対する栄養素及び／又は医療物質の適正に関連する提案及び／又は情報を提供するための方法は、方法の請求項１によって特徴付けられる。
【００１４】
ユーザに対する栄養素及び／又は医療物質の適正に関連する提案及び／又は情報を提供するためのシステムは、システムの請求項９によって特徴付けられる。
【００１５】
ユーザに対する栄養素及び／又は医療物質の適正に関連する提案及び／又は情報を提供するためのソフトウェア製品は、ソフトウェア製品の請求項１４によって特徴付けられる。
【００１６】
本発明の幾つかの有利な実施形態は、従属請求項に開示されている。
【発明の効果】
【００１７】
最先端の解決策と比較して、大きな利点が、本発明を利用して実現される。本発明の方法は、ユーザの移動性と、時間及び場所に関わりなく本発明の迅速で容易な使用とを可能にする。また、本発明の方法は、最新の医学的及び生物学的研究情報を利用すること、また、ユーザにとって適切な個別化された栄養及び／又は薬剤を決定する際、及び／又は、ユーザに対する或る食品中の栄養素の適性を決定する際、ユーザの遺伝学的特性、可能な疾患及びこれらに起因する栄養素の制限を表す情報の使用を可能にする。例えば、栄養及び／又は薬物のユーザの日毎投与量に含まれる成分の量、及びユーザの健康への可能な悪影響、又は例えば、高血圧やアレルギ等の或る疾患への他の影響は、本発明を利用して評価し得る。本発明により、ユーザが必要とする可能性がある薬剤を決定し得る。
【００１８】
有利な点として、栄養及び／又は薬物の日毎又は可能性としてそれより長期的な投与量における栄養素の量、質並びに割合、及び可能な悪影響は、ある時間内にユーザによって摂取される栄養素及び／又は医療物質の質及び量を厳密に考慮して、評価し得る。更に、本発明は、摂取される様々な栄養素及び／又は医療物質の割合と、それらの影響とを観察するのに用いて、最適な栄養及び代謝状態及びユーザのために最も適するように調合される薬剤を実現し得る。
【００１９】
更に、ユーザ及び／又はユーザを処置する医療従事者は、ユーザの食習慣、添加物の量及び割合、日毎に摂取される栄養素及び他のそれぞれの物質、また、幾つかの物質の欠乏をリアルタイムで観察し得る。本発明を利用して、医療従事者又は何らかの他の認証された部署は、ユーザに関する栄養情報及び／又はシステムへの幾つかの他の一般的な栄養情報をリアルタイムに決定し得るが、この場合、システムは、成された変更を直ちに考慮し得る。更にまた、本発明は、レストランが、ユーザによって摂取された栄養素の量を少なくとも部分的に監視できるようにする。また、本発明を利用して、レストランの従業員は、ユーザ又は本発明を用いる顧客の一人前の食事を準備する際、ユーザの代謝状態、エネルギ摂取、遺伝学的背景、疾患又は潜伏性疾患、アレルギ及び好きなものに対して、一人前の食事の組成が最適なように、容易に知ることができる。
【００２０】
また、本発明を利用して、医療従事者は、例えば、ユーザを目的とした薬剤を計画し実現する際、迅速にまた簡単にユーザの可能な栄養素及び／又は医療物質の制限について突き止め得る。本発明の場合、例えば、栄養情報サービスによって特定される幾つかの栄養素成分をユーザが食する一人前の食事に加えることによって、ユーザに対して特定される個別化した栄養量に対応するように、ユーザに一人前の食事を調理して準備することも可能である。
【００２１】
また、本発明を利用して、物質の製造業者及び調達に対して責任を負う部署及び小売商には、特に、ある農薬の使用の影響及び農薬で処理された食材に用いられた農薬の量に関する情報、また、幾つかの栄養素、食材及び／又は医療物質の摂取量及び要求量に関する情報を出力し得る。また、本発明は、食材の製造業者が、例えば、彼らが用いた化学肥料の質、種類、及び量に関する情報、また、環境条件等、食材の健康特性に関係する他の事柄に関する情報を少なくとも部分的に本発明の栄養素システムに供給できるようにする。更に、本発明は、農薬及び保存薬の製造業者が、例えば、癌の原因となる成分等、彼らによって生産された農薬及び保存薬中の物質に関する情報、また、当該農薬及び／又は保存薬におけるそれらの量に関する情報を少なくとも部分的に本発明の栄養素システムに提供できるようにする。また更に、医療物質の製造業者は、有効な物質、それらの量及び影響に関する情報等の医療物質に関連する情報を本発明のシステムに供給し得る。
【００２２】
特に本発明は、過去、特に医学的及び遺伝学的研究により、ある疾患とある遺伝子との間の関係が発見されることが益々多くなっているため、ユーザの健康及び代謝状態、遺伝学的背景及び体格、遺伝子型、遺伝子の機能状態、疾患、過去摂取された栄養及び／又は薬物、及び必要な科学的研究情報を考慮して、ユーザによって購入された、注文された、摂取された又は摂取を目的とされた食品及び／又は医療物質の適性のリアルタイムなフィードバックを得る可能性をユーザに提供する。科学的研究情報は、例えば、医学記事から収集しでき、また、この情報は、本発明のデータベース機構によって理解される形態に処理される。生データとして、医学的研究情報は、例えば、以下の通りであってよい。
【００２３】
ベータ１及びアルファ２Ｃアドレナリン作用性受容体の遺伝学的ばらつきは、共に、心臓病に罹るリスクが高くなるように影響を及ぼし得る。この二座遺伝子型には、アルファ２アドレナリン作用性受容体拮抗薬又はベータアドレナリン作用性受容体拮抗薬又は双方による特別な処理が必要である（ＮＥＪＭ、２００２；３４７；１１３５−１１４２を示す）。
【００２４】
高ホモシステインレベルに至る遺伝学的変化であるメチレンテトラヒドロ葉酸還元酵素（ＭＴＨＦＲ）の遺伝子型を持つ人は、この遺伝学的変化の無い人より、心臓血管病に罹患する危険性が１６％高い。この遺伝学的変化が、低葉酸塩レベルと結びつくと、この危険性は、特に高い。従って、ダイエットを利用して葉酸塩レベルを大きくすることは、ＭＴＨＲＦ遺伝子型の人々にとっては、有利である（ＪＡＭＡ、２００２；２８８；２０２３−２０３１）。
【００２５】
アンギオテンシン遺伝子及びアンギオテンシンコンバターゼ遺伝子の多型性により高血圧及び心臓血管病に罹患する危険性が高くなることが公表されている。公報Ｎ．Ｅｎｇｌ．Ｊ．Ｍｅｄ．２００２；３４７；１９１６−２３において、男性のコネキシン３７遺伝子、プラスミノゲン活性化因子抑制因子の種類のＩ遺伝子、及び女性のストロマ溶解素−１遺伝子における多型性は、心筋梗塞になる高い危険性に繋がることが述べられており（Ｊ．Ｈｕｍ．Ｈｙｐｅｒｔｅｎｓ２００２；１６（１１）：７８９−９３）、また、
【００２６】
ＤＡＲＤ１５遺伝子における変異は、炎症性腸感染の発生に繋がることが公表されている（Ａｍ．Ｊ．Ｈｕｍ．Ｇｅｎｅｔ．２００２；７０：８４５−８５７）。
【００２７】
また、本発明の実施形態によれば、ユーザには、処方サービスを提供でき、この場合、本発明は、ユーザにとって最適な栄養及び代謝状態を実現するための栄養素、栄養素を含む一人前の食事及び／又は薬剤をユーザに提案し得る。本発明の方法及びシステムを利用して、ユーザには、特に、ユーザの少なくとも１つの疾患及び少なくとも１つの遺伝学的情報を考慮して、最適な薬剤を提案し得る。
【図面の簡単な説明】
【００２８】
【図１】本発明に基づくデータベースを生成するための例示の方法を示すフローチャート。
【図２】本発明に基づくユーザに関連する情報を収集するための例示の方法を示すフローチャート。
【図３】本発明に基づくユーザによって摂取される食品に関連する情報を収集するための例示の方法を示すフローチャート。
【図４ａ】本発明に基づく情報を記憶し配列するための例示のデータベース機構を示す概略図。
【図４ｂ】本発明の実施形態に基づく個別化された薬剤及び／又は栄養の推奨を形成するための例示の方法を示すフローチャート。
【図４ｃ】本発明に基づく個別化された栄養情報を生成するための例示の方法を示すフローチャート。
【図５ａ】本発明に基づくユーザによって摂取される食物製品に関する情報を収集するためのＦＰＣプログラムの例示ユーザインターフェイスを示す図。
【図５ｂ】本発明に基づくユーザのエネルギ摂取及び動作環境に関する情報を収集するためのＦＰＣプログラムの例示ユーザインターフェイスを示す図。
【図６】本発明に基づく個別化された栄養情報を生成するための例示のシステムを示すブロック図。
【図７】本発明に基づくユーザの栄養情報を更新し、また、個別化された栄養情報を生成するための例示のシステムを示すブロック図。
【発明を実施するための最良の形態】
【００２９】
特に、次の概念は、本特許出願に用いられる。即ち、
【００３０】
“ユーザ”は、本発明の情報システムを用い得る任意の個人又は個人のグループであり、従って、システムにとって充分であると見なされシステムに出力し得る健康の状態及び遺伝学的背景に関する情報と、ユーザにとって最適な栄養を特定するためのシステムに出力可能な摂取される又は注文される又は摂取を目的とする製品の栄養情報と、を用いることができる。更に、ユーザは、本発明の栄養情報システムを利用して、特定された最適な栄養情報を出力する対象となり得る任意の個人又は個人のグループである。ユーザは、人間もしくは動物、又は、これらで形成される大きなエンティティ、例えば、あるスポーツに関わるスポーツチームであってよい。
【００３１】
“基準情報”は、基準グループに関する情報であって、前記グループに特徴的な健康、疾患、及び食習慣の間の関係を表す情報等であり、例えば、ある基準グループが、ある疾患を被る確率が７５パーセントであるという情報である。基準グループは、例えば、民族、人種もしくは国籍、又は何らかの住民グループ、スポーツグループ、又は職業もしくは例えば、高血圧などの疾患であってよい。基準グループの最小要素は、個人であってよい。
【００３２】
“栄養素及び／又は医療物質”は、薬剤及び／又は栄養と疾患との間の関係にとって重要な栄養素である。通常、栄養素は、例えば、水溶性又は油性のビタミン、たんぱく質、微量栄養素、炭水化物、アミノ酸、不飽和又は飽和脂肪、ミネラル、可溶性又は不溶性の繊維、フラボノイド、他のリン脂質又はフェノール作用物又は植物性エストロゲンであってよい。また、これに関して、栄養素には、環境エストロゲン等の有害な物質が含まれると理解してよい。更に、本出願では、栄養素は、また特に、医療物質であると理解してよい。また、栄養素は、水であってよい。
【００３３】
“栄養情報”は、食材及び／又は医療物質又は食物製品の栄養含有量及び／又はユーザに対するその適性を表す情報である。
【００３４】
“食材”、食物製品、製品又は食品は、少なくとも１つの栄養素及び／又は医療物質を含み得る一人前の食事、飲み物又は薬物、又はこれらの組み合わせ等、摂取するのに適する又は不適な任意の栄養素又は製品である。例えば、食材は、魚であってよく、具体的には、カワカマスであってよい。本出願では、食材には、例えば、皮膚接触によってユーザが暴露されることがある洗剤及び化学製品、例えば、シャンプ、化粧品及び日焼け止めクリーム等の衛生製品も含み得る。更に、食材は、血圧薬等の薬物であってもよい。
【００３５】
“摂取限界”は、ある栄養素及び／又は医療物質に対して定義される上限及び下限が含まれる摂取限界であり、例えば、塩分の場合、日毎の摂取限界は、１−５ｇであり得る。また通常、摂取限界は、タイムリミットに関係しており、そのタイムリミット内に、摂取限界の下限及び上限によって定義される範囲内の量だけ、摂取限界に関連する栄養素及び／又は医療物質を摂取すべきである。
【００３６】
“健康特性”は、疾患等の心身の状態である。また、健康特性には、例えば、ユーザのエネルギ摂取及び必要性に関する情報を含み得る。
【００３７】
“科学的研究情報”は、生物学的、医学的及び心理学的な研究等の科学的研究から得られる情報である。本出願では、科学的研究情報は、特に、遺伝的性質、遺伝子によって決定される特性、遺伝子の機能、及び生物学的及び医学的研究で得られた様々な食材及び疾患の間の関係に関する情報を意味する。最低限、科学的研究情報には、栄養並びに環境因子及び少なくとも１つの薬物における有効な物質に対して、様々な疾患の遺伝学的背景に関する情報が含まれる。最も好適には、本発明の機構において、前記科学的研究情報は、処理された形態であり、例えば、様々な遺伝子と前記遺伝子が暴露する疾患との間で或る確率が形成され、この確率で前記遺伝子は前記疾患を発生する。
【００３８】
次節では、添付の図面を参照して、本発明の有利な実施形態について更に詳細に説明する。
【００３９】
図１は、本発明に基づく、データベースを生成するための例示方法１００のフローチャートである。本方法では、本発明の情報サービスによって必要とされる情報は、ユーザ用の個別化された栄養及び医学的情報を生成するための様々な情報源から収集される。本発明の方法は、有利な点として、医学的及び生物学的研究から得られる研究情報等、ステップ１０２において収集し得る科学的研究情報を利用する。ステップ１０２において収集される科学的研究情報は、例えば、微生物、プリオン、リステリア、サルモネラ、カビ、水銀、鉛、硝酸塩、亜硝酸塩、添加物、農薬、抗生物質、塩分、コーヒー、アルコール、コレステロール、飲料水中の変異誘発物質、放射能、糖質、精製食品及び過剰もしくは過少な量のエネルギ、栄養素及び補充薬剤の欠乏、及び酸素ラジカル等、様々な疾患と物質との間の関連に関する情報を含み得る。
【００４０】
また、科学的研究情報には、例えば、水溶性及び油性のビタミン、たんぱく質、微量栄養素、炭水化物、アミノ酸、飽和及び不飽和脂肪、ミネラル、可溶性及び非可溶性の繊維、フラボノイド、他のリン脂質及びフェノール作用物、人間又は何れか他の生体の健康特性に対する植物性エストロゲン及び環境エストロゲンの影響に関する情報を含み得る。最も好適には、科学的研究情報には、栄養及び環境因子に対する様々な疾患の遺伝学的背景に関する情報が含まれる。本発明のシステムでは、例えば、確率として数値形式で、このような情報を報告し得るが、どんな確率で或る物質が或る疾患を引き起こすか、また、どんな確率で或る栄養素及び／又は医療物質がある疾患から保護するか報告し得る。更に、システムは、物質の或る摂取限界を含むことができ、前記物質がある疾患を引き起こす確率は、摂取される物質の量に依存し、また、ある期間内に、例えば、一日又は一週間で摂取される物質の量が前記物質の摂取限界を超過する又は下回る場合、特に高い。摂取限界は、個別化し得る。また、それらは、例えば、「ＮａＣｌ（食塩）：一日当たり１−５グラム」という形式であってよい。
【００４１】
ステップ１０２において収集される医学的及び生物学的情報等の科学的研究情報は、例えば、ある物質が全ての人間、又は例えば、民族、人種、又は更に家族もしくは個人等、幾つかのグループの人間に対してどのような疾患及び／又は症状を引き起こすか、に関する情報であってよい。例えば、ステップ１０２において収集される情報は、肥満及び西洋の栄養が糖尿病を引き起こし、コレステロール及び塩分が心臓及び血管の病気及び骨粗しょう症を引き起こし、西洋の栄養がアレルギ及びぜん息を引き起こし、環境エストロゲン及び西洋の栄養がホルモン依存性の癌を引き起こし、発癌物質が結腸の癌を引き起こし、繊維が結腸の癌を防ぎ、また、幾つかの感染が或る種のリウマチを引き起こす、という情報を含み得る。
【００４２】
しかしながら、開示された例は、非常に範囲が広く、また、本発明を利用して、個人又は人間のグループの遺伝子型に対して、摂取される栄養と疾患との間の関連を更に極めて高度で厳密な方法で評価することができ、更に、幾つかの様々な栄養素及び環境及び少なくとも１つの個人の遺伝子の結合効果を考慮でき、この場合、直接的な結論を引き出すことは必ずしも可能でなく、ここで、例えば、塩分は、必ず心臓及び血管の病気及び感染リウマチを引き起こすことに留意する必要がある。情報は、特に、処理された形態で、また、前記確率が或る個人又はグループに特徴的であるようにシステムに供給し得る。確率の一部は、特に一般的な真理であってよく、また、個人に特徴的な一部であってよい。
【００４３】
更に、ステップ１０２において収集される科学的研究情報には、例えば、農薬及び添加物又は他の各物質の製造業者によって報告され研究された情報であって、彼らによって製造された農薬及び添加物に関する情報、例えば、当該製造業者によって製造された農薬及び添加物がどんな物質を含むか、また、どれだけの量含むかに関する情報を含み得る。ステップ１０２において収集される情報は、また、当業者が知っている文献又はいずれかのデータバンクから取得し得る。
【００４４】
ステップ１０４において、有利な点として、食材に関連する栄養情報が収集される。例えば、栄養情報は、食品又は食材の製造業者、品質管理機関、及び小売商、並びにデータバンクから直接取得し得る。ステップ１０４において収集される栄養情報には、有利な点として、微生物、プリオン、リステリア、サルモネラ、カビ、水銀、鉛、他の重金属及び有害な物質、硝酸塩、亜硝酸塩、添加物、農薬、殺虫薬、環境に対する有害物、抗生物質、塩分、コーヒー、アルコール、コレステロール、変異誘発物質、放射能、糖質、エネルギの量、栄養素、補充薬剤、酸素ラジカル、水溶性及び油性のビタミン、たんぱく質、微量栄養素、炭水化物、アミノ酸、飽和及び不飽和脂肪、ミネラル、可溶性及び不溶性の繊維、フラボノイド、他のリン脂質及びフェノール作用物、植物性エストロゲン及び環境エストロゲン等、食品及び食材中の物質に関する情報が含まれる。
【００４５】
栄養情報には、また、どのような温度及び湿度で製品が栽培され、保存され、また、輸送されたか等、当該食品又は食材の環境条件に関する情報、及びどれくらいの間、製品が各状態にあったかに関する情報を含み得る。また、栄養情報には、前記食品又は食材の栽培の地理的場所、その土壌バクテリア又は他の土壌情報に関する情報を含み得る。この場合、土壌に含まれる可能性がある健康又は他の特性に有害な物質に関する情報であって、当該地域の土壌研究において公表された可能性がある情報は、食材に関する情報と組み合わせ得る。また、栄養情報には、どれだけの量及びどのような種類の農薬及び／又は保存薬が、前記食材の栽培及び／又は製造に用いられたか、に関する情報を含み得る。
【００４６】
本発明のデータベースには、また、ステップ１０６において収集されるユーザに関連する情報が含まれる。ユーザに関連する情報は、例えば、ユーザの年齢、性別、体重、身長、遺伝学的背景及び体格、遺伝子型（ＤＮＡ）、遺伝子の機能状態、民族、グループ、国籍、疾患、アレルギ、精神的状態、薬剤、生活環境、労働環境、仕事の種類、家族関係、個人履歴、及び仕事及びスポーツの実績に関する情報であってよい。ユーザに関する情報は、また、脂肪割合、血圧、血糖、ヘモグロビン及び／又はコレステロールに関する値又は情報であってよい。
【００４７】
好適には、ユーザに関連する情報は、ユーザの遺伝的性質、遺伝子の機能及び／又は生物学的特徴に関する充分な量の情報であり、これに基づき、ユーザの栄養及び医学的な基本的ニーズを決定し得る。また、ユーザに関連する情報を利用して、疾患に起因する制限が、考慮され、また、ユーザに合わせて調理される一人前の食事の調理プロセス用に、又はユーザを対象にした薬剤の調製、計画、及び実現用に、突き止め得る。更に、ユーザに関連する情報には、ユーザの好きなもの及び嫌いなものについて記述する情報と、ユーザの趣味及び仕事中並びに自由時間双方でのエネルギ摂取について記述する情報と、を含み得る。この場合、最適な一人前の食事は、本発明の情報サービスを利用して、基準グループ及びユーザの情報を考慮して、例えば、錠剤、カプセル、プレス加工片、粉末、混合油脂、オイル、アイスキューブ、又は混合食品もしくは飲み物をユーザに対して計画し得る。基準グループは、例えば、水泳選手、短距離及び長距離走者、射撃手又はゴルファ等のスポーツマンであってよい。
【００４８】
本発明の実施形態によれば、栄養の投与量は、何らかの薬物を含んだり薬の投与量であったりし得るが、例えば、本発明の情報システムと電気通信接続した状態の或るディスペンサで実現し得る。この場合、情報システムは、ユーザに出力される栄養及び／又は薬物の投与量はどれだけであるべきか、その投与量がどんな物質を含むべきか、その投与量にどんな物質を含むべきでないかに関する情報、また更に、可能性があるものとして、その投与量を如何にして製造すべきかに関する情報をディスペンサに供給し得る。例えば、ディスペンサには、投与量に混合される構成材料が含まれる貯蔵部及び／又は容器を含み得る。この場合、ユーザに対して最適化された栄養及び／又は薬物の投与量は、本発明の情報システムからのフィードバックに基づき自動的に製造し得る。本発明の実施形態によれば、ディスペンサには、また、本発明の情報システムにおける情報ユニットの少なくとも一部を含み得る。ステップ１０６において収集されるユーザに関連する情報には、また、ユーザの運動器官系の病気、うつ病、心臓の病気、高血圧、アレルギ、ぜん息、頭痛、片頭痛、精神的疾患、アルコールに起因する疾患、痴呆及びホルモン依存性の癌、又は他の疾患もしくは障害に関する情報を含み得る。
【００４９】
本発明によれば、ステップ１０８において基準グループと関係する情報を収集することが可能である。例えば、この情報には、ある基準グループがどのような種類の食習慣を有するか、摂取される栄養において、通常、彼らがどのような種類の栄養素及び／又は医療物質及び／又は有害な物質を摂取するのか、彼らがどのような種類の環境条件下で生活及び／又は仕事をしているのか、彼らの遺伝学的背景が如何なるものか、また、前記基準グループでは、どのような疾患がよくあるのか、に関する情報が含まれる。このような基準グループは、例えば、ＰＩＭＡインド人、日本人、エスキモー、フィンランド人、東フィンランドの人々、東／西ドイツ人、スラブ民族及びオーストラリア人等の民族、人種及び国籍であってよい。他の選択肢として、基準グループは、また、会社員、消防士、林業従事者又はダイバー等、ある職業グループを表す基準グループであってよい。
【００５０】
ステップ１１０において、本発明によれば、ユーザによって摂取される又は摂取を目的にした食品及び食材及び／又は医療物質に関連する情報を収集し得る。ステップ１１０において収集される情報は、好適には、例えば、ユーザによって摂取される又は摂取を目的にした物質の量及び質、その寿命、最終販売日付又は最終使用日付、栄養含有量に関する情報、また、食品が魚であること、更に具体的には、カワカマスであること、又は薬物であること、更に具体的には、ペニシリンであること等の物質自体に関する情報を含み得る。更に、この情報には、また、その物質を販売した販売員及び商店、又は、その物質を取り扱った可能性があるレストランもしくは製造業者、及び品質管理機関に関する情報を含み得る。更に、ステップ１１０において収集される情報には、また、火で焼かれて臓物を除いたカワカマス等、物質の可能な処理及び／又は製造方法に関する情報を含み得る。
【００５１】
ステップ１１０において収集される情報は、また、物質の製造業者によって又は可能性としてその物質の試験を行なった品質管理機関によって形成される情報等、物質に関連する他の情報であってよく、この情報には、例えば、微生物、プリオン、リステリア、サルモネラ、カビ、水銀、鉛、他の重金属及び有害な作用物、硝酸塩、亜硝酸塩、添加物、農薬、殺虫薬、環境に対する有害物、抗生物質、塩分、コーヒー、アルコール、コレステロール、変異誘発物質、放射能、糖質、エネルギの量、栄養素、補充薬剤、酸素ラジカル、水溶性及び油性のビタミン、たんぱく質、微量栄養素、炭水化物、アミノ酸、飽和及び不飽和脂肪、ミネラル、可溶性及び非可溶性の繊維、フラボノイド、他のリン脂質及びフェノール作用物、植物性エストロゲン及び環境エストロゲン等、物質中の作用物に関する情報を含み得る。
【００５２】
ステップ１１０において収集される情報は、また、食品等の前記物質の環境条件に関する情報を含み得る。例えば、どのような種類の温度及び湿度において、製品が栽培され、保存され、輸送されたか、また、どれくらいの間、製品が各状態にあったかに関する情報を含み得る。
【００５３】
ステップ１０２−１１０において出力される情報は、最も好適には、“ＦｏｏｚＰｕｚｚｌｅ−Ｃｏｍｍｕｎｉｃａｔｏｒ”プログラム（ＦＰＣプログラム）を利用して、情報システムに出力し得る。ＦＰＣプログラムは、情報を有利なドキュメント形式で直接情報システムに出力できるようにする。ＦＰＣプログラムのユーザインターフェイスは、特に、物質の単一ユーザ、製造業者並びに品質管理機関、小売商、レストラン従業員又は医療従事者のニーズに応じて設計し得る。
【００５４】
本発明の実施形態によれば、ＦＰＣプログラムは、例えば、一般的なサーバ上で実行し得る。この場合、ＦＰＣプログラムは、インターネットもしくはデジタルテレビ等のデータネットワークを介して、又は移動局を利用して用い得る。ＦＰＣプログラムのユーザインターフェイスは、有利な点として、例えば、インターネットで提供されるＸＭＬ及び／又はＸＭＬ派生言語による形態であってよい。本発明によれば、情報システムには、何らかの他のドキュメント形式での情報も供給し得る。この場合、これは、ＸＭＬ形式又はＸＭＬ派生言語の形式に変更して更に処理し得る。本発明の実施形態によれば、ＦＰＣプログラムの少なくともの一部は、情報を供給するユーザのコンピュータに、デジタルテレビ又は移動局に、又はＰＤＡ装置もしくは更にスマートカード等、当業者に知られている何らかの他のデータ処理装置に、ダウンロードし得る。
【００５５】
情報は、好適には、前処理された形態で、例えば、ＸＭＬ及び／又はＸＭＬ派生言語による形態を利用して電子形態で本発明のシステムに出力し得る。又は他の選択肢として、情報は、例えば、手作業で、又はファジー論理を用いるシステムを利用して、ステップ１１２において、システムによって理解される或る形態に処理し得る。処理された形態において、情報は、例えば、遺伝子がある疾患に暴露する確率であってよい。更に、情報が処理された形態であるシステムには、様々な情報間の相関関係を含むことができ、こうして例えば、ある疾患に対する幾つかの様々な遺伝子、栄養素及び／又は医療物質の全体的な効果の算出は、確率であり得る相関関係に基づき実行し得る。
【００５６】
本発明は、ステップ１０２−１１０において収集される情報の質を決して制限しないが、この情報は、任意の種類であってよい。しかしながら、好適には、この情報は、栄養、薬物、及び疾患の防止又はこれらを利用した疾患の悪化防止に関係する情報である。この情報は、例えば、科学的研究で分かった任意の情報、生産された食材又は食品及び医療物質に関連する任意の情報、ユーザもしくは複数のユーザ又は基準グループに関連する任意の情報、又はユーザもしくは複数のユーザによって摂取される物質に関連する任意の情報、又は栄養素に含まれる物質もしくは医療物質もしくは薬物と様々な疾患との間の関係、特に、ある栄養素又は薬物が、或る確率で治癒するように又は害を与えるようにある疾患に影響を及ぼす確率について記述する情報であってよい。
【００５７】
更に、図１に示すステップの順番が異なる場合も、当業者は、本発明によってデータベースを形成し得ることに留意する必要がある。更に、ステップ１００−１１２の少なくともの一部は、本方法において、任意の回数繰返し得ることに留意する必要がある。
【００５８】
図２は、本発明によるユーザに関連する情報を収集するための例示方法２００のフローチャートである。ユーザに関連する情報の一部は、ステップ２０２においてユーザ自身から収集し得る。ステップ２０２において、ユーザは、自分自身に関する情報を出力し得る。例えば、食品に関する好きなもの及び嫌いなもの、及び疾患、エネルギ摂取、労働環境、趣味及び家族関係に関する情報を本発明の情報システムに出力し得る。ユーザによって供給される情報は、ユーザによって報告される任意の情報であってよく、この情報は、ユーザが、紙の形態もしくは電子形態等のあるコード又はフォームを利用して数値形式で、又は他の選択肢として、自由形式テキストを利用して、出力し得る。電子形態は、好適には、ＸＭＬ及び／又はＸＭＬ派生言語により、例えば、インターネットで入手可能な形態である。
【００５９】
ユーザは、例えば、一実施形態に従って、インターネット、ｅ−メール、デジタルテレビもしくは移動局を介して、手紙もしくはファックスによって、また、電話によって、自分の情報を情報システムに出力し得る。最も好適には、ユーザは、本発明によるＦＰＣプログラムを利用して、ステップ１０２において収集されるユーザに関する情報を情報システムに出力し得る。
【００６０】
ユーザに関連する更なる情報は、ユーザを処置する可能性がある医療従事者を利用してステップ２０４において取得し得る。ユーザを処置する医療従事者には、例えば、ユーザの同意により少なくとも部分的な許可を与えて、ユーザの生物学的及び心理学的な状態について記述する情報を本発明の情報システムに対して更新し得る。本発明の実施形態によれば、医療従事者は、ユーザの疾患、疾患の可能な変化及び／又はユーザの薬剤に関する情報を情報システムに対して更新し得る。
【００６１】
更に、ステップ２０４において、医療従事者は、また、ユーザの薬剤に不可欠な他の情報、有効な作用物及び薬物の量、ユーザの行動又は他の特別な特徴を情報システムに対して更新し得る。ステップ２０６において、臨床化学の結果等、ユーザに関する研究所の結果は、情報システムに対して更新し得る。ステップ２０６において収集される情報には、例えば、ある時間からのユーザのヘモグロビン値、コレステロール値及びグルコース値に関する情報を含み得る。ユーザに関する研究所の結果は、例えば、研究所の職員又は結果を取り扱う医療従事者によって本発明の情報システムに出力し得る。他の選択肢として、研究所の結果は、また、自動的に値を測定する研究所の測定装置から情報システムに出力し得る。
【００６２】
ユーザの栄養習慣に関連する情報は、ステップ２０８において収集し得る。本発明の実施形態によれば、情報は、食品、食材及び一人前の食事を販売する商店及びレストランのシステムから少なくとも部分的に取得し得るが、このシステムは、ユーザを識別し、ユーザによって購入及び／又は摂取される食品又は一人前の食事の組成を登録することができ、また更に、食品又は一人前の食事に関する栄養情報をユーザの識別データと共に本発明の情報システムに出力することができる。
【００６３】
ユーザの識別は、例えば、磁気カード、スマートカードもしくはバーコードに集積された情報を利用して、又は、当業者に公知の任意の方法を利用して、ユーザＩＤ及びパスワードに基づいて行ない得る。識別は、例えば、ユーザのデータ端末装置が、個別化された栄養情報であってユニットに一体化されたユーザの識別に不可欠な情報の形成に必要とされる少なくとも部分的に本発明に基づくユニットを含むように行ない得る。この場合、栄養情報に不可欠な商店、レストラン及び／又は他の機関のシステム、並びに医療従事者及び薬局のシステムは、例えば、ブルートゥース等の短距離無線技術又は赤外線受信機を用いる方法を利用して、スマートカード又は移動局等のユーザのデータ端末装置からユーザの情報を読み出すことによってユーザを識別し得る。
【００６４】
栄養素及び／又は医療物質又は一人前の食事に関する栄養情報は、ユーザの識別データと共に本発明による情報システムに出力し得る。この場合、一実施形態によれば、ユーザは、自分自身のデータ端末装置を用いて、栄養素及び／又は医療物質又は一人前の食事の出力栄養情報を閲覧し、また、情報システムに出力された情報の少なくとも一部を別個に受理又は拒否し得る。この場合、ユーザによって受理された情報は、後で、ユーザに対して最適な栄養及び／又は医学的情報を決定する際、また、システムからのユーザによって拒否された情報を抹消するために利用し得る。
【００６５】
更に、この情報は、好適には、前処理された形態で、例えば、電子形態で、ＸＭＬ及びＸＭＬ派生言語による形態を利用して、本発明のシステムに出力し得る。又は他の選択肢として、この情報は、例えば、手作業で又はファジー論理を用いるシステムを利用して、ステップ２１０において、システムが理解できる形態に処理し得る。処理された形態において、この情報は、例えば、ＮａＣｌ等のユーザによって摂取される物質を識別する情報、及び４．２ｇ等の摂取される物質の量について記述する情報であってよい。ある実施形態によれば、例えば、好きなものについて記述する情報は、中華食品６５％、魚食品２５％、及び火で焼かれた食品０％等の重み付け係数であってよい。この場合、システムは、重み付け係数を利用してユーザの好きなものを考慮し得る。
【００６６】
当業者は、図２に示すステップの順番が異なる場合も、ユーザに関連する情報を収集し得ることに留意する必要がある。更に、ステップ２００−２１０の少なくともの一部は、本方法において、任意の回数繰返し得ることに留意する必要がある。ステップ２００−２０８において出力される情報は、本発明によるＦＰＣプログラムを利用して、最も好適に情報システムに出力し得る。
【００６７】
図３は、本発明に基づく、ユーザによって摂取される栄養素及び／又は医療物質に関連する情報を収集するための例示方法３００のフローチャートである。本方法において、ユーザ自身は、ステップ３０２において、ユーザが摂取する物質に関する情報を本発明の情報システムに出力し得る。ユーザによって出力される情報は、例えば、栄養素に関する厳密な情報、即ち、食材、食品及び／又は薬物に含まれる栄養素の量及び割合であってよい。他の選択肢として、摂取される食材及び／又は食品に関する情報は、例えば、次のもの、即ち、“塩で若干味付けされ火で焼かれた３００グラムのカワカマス”であってよい。更に、ユーザによって出力された栄養素及び／又は医療物質に関する情報以外に、ユーザは、また、当該物質を摂取する時間に関係する情報を出力し得る。
【００６８】
ユーザは、ステップ３０２において、あるコードもしくはフォームを利用して、又は他の選択肢として、自由形式テキストとして、数値形式で、ユーザが摂取する食材、栄養素及び／又は医療物質に関する情報を出力し得る。ユーザは、例えば、一実施形態に従って、インターネット、ｅ−メール、デジタルテレビもしくは移動局を介して、手紙もしくはファックスによって、また、電話によって、自分の情報を情報システムに出力し得る。最も好適には、ユーザは、本発明によるＦＰＣプログラムを利用して、ステップ３０２において、出力される情報を情報システムに出力し得る。
【００６９】
ユーザによって摂取される栄養素に関連する情報は、また、ユーザがそのように望めば、ステップ３０４において、ユーザが訪れるレストランのシステムから収集し得る。例えば、ユーザは、自分自身の情報サービス識別子を与え得る。この場合、レストランのシステムは、一人前の食事又は飲み物等、ユーザによって注文された製品に関する情報を情報システムに出力し得る。注文された製品に関する情報には、例えばペッパーソースで調理した、牛フィレット及びペッパーステーキ（３００グラム）、１００グラムのフレンチフライ、及び０．５リットルのＩＩＩビール等、注文された製品の名前に関する情報を含み得る。この場合、情報システムは、それ自体のデータベース装置から当該製品に関する更に厳密な栄養情報を検索し得る。他の選択肢として、レストランのシステムは、また、エネルギ、３、４００ｋＪ；たんぱく質、１２０ｇ；脂肪、４７ｇ；炭水化物、８０ｇ；ビタミンＢ１、１０ｍｇ；及び脂肪酸濃度及び配合、また、アミノ酸の量及び濃度等、製品に関連する更に厳密な栄養情報を報告し得る。更に、レストランのシステムは、例えば、そこで調理される一人前の食事の調理方法に関する情報、又は、情報システムのデータベースには無い可能性がある他の特別な情報を出力し得る。このような情報は、例えば、レストラン自体によって付加される栄養素に関連する情報であってよい。
【００７０】
ユーザによって購入及び摂取される食材、食品、栄養素及び／又は医療物質に関連する情報は、また、ユーザがそのように望めば、ステップ３０６において、ユーザが訪れる商店のシステムから収集し得る。例えば、ユーザは、自分自身の情報サービス識別子を与え得る。この場合、例えば、商店の会計カウンタのバーコードリーダシステムは、ユーザによって購入される製品に関する情報を情報システムに出力し得る。一実施形態によれば、ユーザは、また、ユーザが用いる商店と契約を結び得る。この場合、例えば、ユーザが自分の顧客カードをレジ係に示すと、ユーザによって購入される食品及び薬物に関する情報は、自動的に本発明の情報システムに伝達されるが、一実施形態によれば、ユーザは、依然として、後で、例えば、自分自身のデータ端末装置を用いて、情報システムに出力された情報の少なくともの一部を承認又は拒否し得る。他の選択肢として、ユーザは、少なくとも部分的に、自分のデータ端末装置において、本発明のシステムを或るステータスに設定し得るが、このステータスでは、情報システムに情報を出力する機関が、ユーザの識別情報以外に、ユーザのデータ端末装置からシステムのステータス情報も読み出すことができ、また、そのステータス情報を情報システムに出力できる。この場合、情報システムに出力された情報は、直ちに受取られ分析し得る。
【００７１】
ステップ３０８において、ユーザによって購入及び／又は摂取された食材、食品、栄養素及び／又は医療物質に関する情報システムに出力される更に厳密な情報は、例えば、本発明の情報システムのデータベースから検索し得る。このことは、例えば、充分でない情報又は製品の栄養情報について全く記述しない情報が情報システムに出力される場合、行なうことができる。ステップ３１０において、情報システムには、例えば、製品の製造業者から、ユーザによって購入及び／又は摂取される食材、食品、栄養素及び／又は医療物質に関連する情報を供給し得る。このことは、例えば、ユーザによって購入された又は注文された又は摂取された製品に関する情報が情報システムに出力されていると、行ない得るが、しかしながら、情報システムは、当該製品の栄養素情報に関する充分な情報を含んでいない。同様に、ステップ３１２において、ユーザによって購入及び／又は摂取された製品に関する情報は、例えば、様々な品質管理機関から出力し得る。
【００７２】
更に、この情報は、好適には、例えば、ＸＭＬ及び／又はＸＭＬ派生言語による形態を利用して、前処理された形態で本発明によるシステムに出力し得る。又は、他の選択肢として、ステップ３１４において、この情報は、例えば、手作業又はファジー論理を用いるシステムを利用して、システムが理解する形態に処理し得る。処理された形態において、情報は、エネルギ、３、４００ｋＪ；たんぱく質、１２０ｇ；脂肪、４７ｇ；炭水化物、８０ｇ；及びビタミンＢ１、１０ｍｇの形態で構成してよい。
【００７３】
図４ａは、本発明に不可欠な情報を記憶し配列するための例示データベース機構３５０の図である。データベース機構３５０は、有利な点として、幾つかのデータベース及びサブデータベース機構３５２、３５４、３５５、３５６及び３５７を含み得る。更に、データベース機構は、分散型データベース機構であってよい。この場合、少なくとも１つのデータベース機構の第１部位は、少なくとも１つの第１記憶媒体によって記憶でき、また、少なくとも１つのデータベース機構の第２部位は、少なくとも１つの第２の記憶媒体によって記憶し得る。情報は、データベース機構間で、例えば、ユーザの遺伝子マップの少なくとも一部等、所望の変数をパラメータ３５８として、また、ユーザによって摂取される栄養素及び／又は医療物質に関する情報を出力することによって、伝達し得る。
【００７４】
情報は、最も好適には、処理された所定の形態で、本発明のデータベース機構に対して記憶し得る。例えば、遺伝子に関する情報は、好適には、個人に対して行なわれる遺伝学的試験に基づき、データベース機構に対して、事実として処理された形態で、供給し記憶し得るが、これを利用して、疾患を受ける遺伝子形態に関する情報が表現される。遺伝学的試験に関する事実は、例えば、文字ストリングの組み合わせ“＋”（結果が正又は負）として、又は可能性ならば−１００乃至＋１００間の数値等の重み付け値であって、疾患に対して遺伝子又はその有意性について記述する重み付け値として表現し得る。
【００７５】
他の選択肢として、高ホモシステインレベルに至る遺伝学的変化であるメチレンテトラヒドロ葉酸還元酵素（ＭＴＨＦＲ）の遺伝子型を持つ人は、この遺伝学的変化の無い人より、心臓血管病に罹患する危険性が１６％高いという事実等の事実は、前記遺伝子又は遺伝子型が或る疾患を受ける確率が直接報告される形態で表現し得る。データベース機構は、ＭＴＨＦＲ遺伝子型から、特に、葉酸塩レベルまでの相互参照を有し得る。この理由は、心臓血管病に罹患する危険性は、ユーザの葉酸塩レベルが低い場合、特に高いという科学的事実が存在するためである。この場合、心臓血管病に罹患する確率は、ユーザの葉酸塩レベルが、葉酸塩レベルに対する摂取限界未満である場合、ある重み付け係数によって大きくできる。例えば、葉酸塩レベルが２０％未満である場合、重み付け係数は、１．８であってよく、これによって、心臓血管病に罹患する確率（ここでは、１６％）は、例えば、確率が、２９％（１．８・１６％＝２９％）まで大きくなるように重み付けし得る。重み付けは、また、乗算以外の他の数学的方法によって考慮し得る。
【００７６】
更に、前記例示のデータベース機構は、また、栄養素及び／又は医療物質に対する相互参照を有することができ、これによって、栄養素に起因する欠乏を低減し得る。例えば、前記葉酸塩レベルは、大きくし得る。この場合、本発明による情報システムは、例えば、葉酸塩レベルを大きくするために、また、心臓血管病に罹患する危険性を低減するために、前記栄養素及び／又は医療物質をユーザに提案し得る。現在、例えば、ダイエットを利用して、葉酸塩レベルを大きくすると、ＭＴＨＦＲ遺伝子型の人には有利であることが知られている。
【００７７】
事実は、他の選択肢として、何らかの他の適切な方法でも提供し得る。
【００７８】
特に、品質管理ユニットによって生成された研究対象の原材料／製品の含有量に関する分析結果についての情報は、また、データベース機構に対して記憶し得る。情報は、例えば、物質−測定結果の対として提供され、これらは、文字ストリングの組み合わせと、製品の識別に必要とされる測定結果を示す実数との組み合わせ（対）、例えば、コケモモ、鉄０．４ｇとして、データベースに対して記憶し得る。また、データベースは、セクションを含むことができ、ここで、各測定結果（例えば、ｍｇ／１００ｇ）を示す実数の測定単位が何であるかが分かる。データベースには、成される測定の数と同じだけの数の前記対が存在し得る。
【００７９】
製造業者によって生成された情報は、前記種類の測定結果と、栽培条件及び栽培に関する情報とを含み得る。後者のカテゴリは、通常、製品の識別に必要とされる文字ストリングと、栽培の場所及び他の条件を決定する（文字ストリングとして）フィールドと、カレンダ情報を規定するフィールド（日付：日−月−年、必要に応じて、時間：時／分を定義）との組み合わせとして、データベースに提供される。更に、また、輸送に関する情報は、適切な方法でデータベースに対して記憶される。前記情報と様々な疾患との間の或る確率又は重み付け係数は、これによって前記情報又は何らかの他のパラメータによって定義される条件が前記疾患を受け又は前記疾患から保護されるが、本発明のデータベースに合わせて構成し得る。
【００８０】
また、ユーザの好きなもの及び制限に関する情報は、データベース機構３５０に対して記憶し得る。好きなものについて記述する情報は、例えば、“日干しトマトアラビート”及び“タマネギ”等の単一の好きなもの、又は、“中華料理”等の好きなもののカテゴリを各々規定する一組の文字ストリングとしてデータベースに対して記憶し得る。また、各文字ストリングと共に、好きなものの指向及び範囲に関する情報は、例えば、それを−１００乃至＋１００の間の整数として符号化することによって、記憶し得るが、ここで、−１００は全く嫌いなもの、０はどちらでもないこと、また、＋１００は非常に好きなものをそれぞれ表す。食材制限に関する情報は、例えば、“グルテン”、“牛乳たんぱく質”、又は“Ｅ４０７”（添加物、本例では、カラギーン）等、単一の食材のカテゴリを各々規定する一組の文字ストリングとしてデータベースに記憶し得る。
【００８１】
本発明の一実施形態によれば、様々な疾患と食材及び／又は遺伝子の形態との間の関係について記述する科学的情報は、それを科学公報から収集することによって、例えば、規則の形態で、データベース機構３５０に供給し記憶し得るが、ここで、規則の条件部は、（１つ又は複数の別個の条件で構成でき）、また、推測部が与えられる。確率値（例えば、−１００乃至＋１００の間、又は他の選択肢として、１６％だけ大きくなった暴露危険率）、また、一実施形態によれば、ｐ＝１．８等の重み付け係数は、各規則に関係付け得る。前記科学的情報は、通常、（１）罹患率に対する栄養の効果（正及び負の効果；保護及び暴露効果）、（２）罹患率に対する薬物の効果（正及び負の効果；保護及び暴露効果）、（３）罹患率に対する遺伝子の影響（正及び負の効果；保護及び暴露効果）、（４）上述した全因子の組み合わせ（規則部、各扇形からの０−ｎ条件）から構成される。規則は、通常、次の形式である。即ち、条件１ＡＮＤ条件２、・・・、ＡＮＤ条件Ｎの場合、疾患確率Ｘであり、ここで、Ｘは、例えば、−１００乃至＋１００の間の値であってよい。値−１００は、例えば、条件が満たされて、疾患は、１００％の確率で回避されるということを表すことができ、また、値＋１００は、例えば、疾患は、前記条件が満たされる場合、不可避であることを表し得る。他の選択肢として、値は、また、もう１つの一組の値から選択することができ、それらは、当業者に公知の方法に従う任意のやり方で標準化し得る。
【００８２】
本発明のデータベース機構は、有利な点として、多次元であり得るため、ある栄養素及び／又は医療物質の全体的な影響の一覧を形成する際、ある遺伝子と共に様々な疾患に対する医療物質の影響に関する情報が含まれるレベル３５２等、データベース機構３５０の他のレベルを経由し得る。本発明のデータベース機構を利用して、例えば、栄養素が或る確率で疾患に暴露するが、同時に、何らかの他の栄養素、又は薬物の影響等、ある他のレベルの特徴が、保護的に前記暴露に影響を及ぼす状況において、幾つかの因子の結合効果を記録することが可能である。
【００８３】
特にデータベース機構は、ＭＴＨＦＲ遺伝子型が心臓血管病を引き起こす、又は、遺伝子Ｘ及びＹが共に２０％の確率で疾患Ｚ１を引き起こす１６％の一次確率等の一次確率を有し得ることに留意する必要がある。更に、データベース機構は、２次確率又は重み付け係数を有し得る。例えば、過量のＮａＣｌは、その人が、ＭＴＨＦＲ遺伝子型を有する場合、心臓血管病に罹患する危険性を１．８倍に増やす。一次確率は、通常、遺伝子に起因し、それらは、ダイエット、栄養又は薬剤によって変更できない。また、２次確率又は重み付け係数が、栄養素及び／又は医療物質、環境因子及び好きなものによる場合、それらは、変更し得る。
【００８４】
本発明のデータベース機構３５０における広範な情報の組の管理及び処理は、例えば、自己組織化マップ（ＳＯＭ）を用いるＷｅｂｓｏｍ法を利用して実現し得る。ユーザの情報は、少なくとも部分的に処理された形態において、システムのメモリ装置に記憶し得る。この場合、前記部位は、前の処理の後、前記情報に変化が生じなかった場合、再度処理する必要はない。
【００８５】
また、栄養及び／又は医学的情報は、本発明のデータベース機構を利用して出力し得る。栄養及び／又は医学的情報は、一方では、完全な栄養素代替案からの栄養素推奨案の構築が可能であるように、また、他方では、制限条件が考慮されるように、個人に合わせて生成でき、制限条件は、栄養素含有量、遺伝学的情報及び個人的な情報等の基本的な情報と、科学的情報を提供するこれらの組み合わせの健全さについて記述する規則形態における原則で構成される。
【００８６】
本発明によれば、提供された選択肢から個人が自分の欲しい仮想の食品皿を選ぶモデル等の２つの異なる動作モデルをユーザに提供し得るが、これらの選択肢は、例えば、ユーザのデータ端末装置を利用して、ユーザに図表で提供し得る。ユーザが自分の仮想の食品皿選択した後、本発明の情報システムは、例えば、データベース機構３５０の情報との関連において、選択肢の精度をチェックし、ずれを指摘及び／又はより良い選択肢に導く。他の選択肢として、準備された食品皿を形成してユーザに提案し得るが、この皿は、データベース機構３５０における情報及び摂取限界を考慮して、単一食材について編集し得る。
【００８７】
ユーザに提案される前記食品皿の形成は、例えば、一連の処置として実施し得る。ここで、食品皿選択肢が、まず、個人から要求され、そして、食品皿に関する含有量情報が、データベース機構３５０から収集される。この後、食品皿選択肢の含有量情報は、各情報カテゴリと比較し得る。例えば、物質の摂取限界において、不一致が存在するならば、又は、ユーザがこのような遺伝子を有するならば、このことにより、食品皿選択肢に含まれる或る栄養素と共に、ユーザは、５％の確率等、所定の限界を超える確率で疾患に曝され、例えば、不一致の強さ／有意性は、読み出しー変更記憶装置に記憶し得る。最も強くて／重要な不一致及びユーザの健康及び／又は代謝状態に対するそれらの影響は、突き止めることができ、そして、代替の栄養素又は内容要素をデータベース機構から見つける試みがなされて、不一致の原因となる栄養素及び／又は内容要素が置き換えられる。
【００８８】
可能な限り適切な投与量の栄養及び／又は薬物がユーザに対して形成された場合、投与量は、例えば、ユーザのデータ端末装置を介して、図による食品皿を利用して、ユーザに提供でき、図による食品皿は、例えば、物質の量に比例する扇形を利用して、適切な栄養素及び／又は医療物質を示す。また、他の選択肢として、投与量又は食品皿は、使用状況に応じて、平文のテキスト版としても提供し得る。
【００８９】
データベース機構３５０において、情報は、例えば、規則形態（確率値によって補足される所謂Ｈｏｒｎ条項、Ｋｏｗａｌｓｋｉ、ＩＦＩＰ７４の会報、「プログラミング言語としての述語論理」、５６９−５７４頁、アムステルダム、１９７４年、北ホラント）で提供し得る。適切な投与量の栄養及び／又は薬物又は食品皿を形成するために必要とされる推測機構は、例えば、確率値によって補足されるＨｏｒｎ条項を用いることによって実現し得る。例えば、推測機構の実現に仮定ベースの推測を用い得る（例、Ｊ．ｄｅＫｌｅｅｒ、仮定ベースのＴＭＳ、人工知能の定期刊行物、２８、１２７−１６２、１８６）、同様に、これに対する基礎である数学的前提（例、Ａ．Ｄｅｍｐｓｔｅｒ．多値化マッピングによって導かれた上限及び下限確率、数学的統計学の強化、３８、３２５−３３９、１９６、．Ｇ．Ｓｈａｆｅｒ、数学的根拠理論、プリンストン大学出版会、１９７６年）。他の選択肢として、推測機構は、また、何らかの他の適切な方法で実現し得る。
【００９０】
特に、データベース機構は、図４ａの例よりもかなり多くの基準を含み得ることに留意する必要がある。例えば、１つの遺伝子は、幾つかの異なる疾患に、また同様に、栄養素及び／又は医療物質に影響を及ぼし得る。更に、異なる遺伝子は、共に、個別に考慮される全ての遺伝子とは異なる結合効果を生成し得る。
【００９１】
図４ｂは、本発明の一実施形態に基づく、個別化された薬剤及び／又は栄養の推奨を形成するための例示方法３７０のフローチャートであり、ここで、ステップ３７２において、少なくとも一部のユーザの遺伝子マップは、本発明のデータベース機構の遺伝子マップ情報と比較される。ステップ３７２において、何らかの疾患をデータベース機構の疾患情報と比較することも可能である。比較されるユーザの遺伝子マップ及び／又は疾患情報の少なくとも一部は、何らかのデータ端末装置、例えば、本明細書で述べたものを利用して、比較される本発明のデータベース機構に出力し得る。ステップ３７４において、ある疾患が、データベース機構に供給されかどうか、又は、他の選択肢として、ユーザが、本発明のデータベース機構情報により、何らかの疾患に暴露する遺伝子を有するかどうか、が調べられ、そうであれば、遺伝子と疾患との間の関係に関連する一次規則、例えば、何らかの確率である疾患に暴露するという規則が、ステップ３７６において、データベース機構から調べられ、また、ユーザが何の疾患も又は疾患に暴露する遺伝子も有さない場合、ステップ３９０に進むことができ、そして、結果を提示できる。あるいは他の選択肢として、図４ｃに示すステップ４００に進み得る。
【００９２】
ステップ３７６において、一次規則が見つかった場合、ステップ３７８において、一次平均が、一次規則及び／又は確率から算出される。例えば、遺伝子Ｘ及びＹが、確率Ｔｘ＝１０％及びＴｙ＝２０％で暴露するように同じ疾患Ｚに影響を及ぼす場合、全体の影響は、これらから、例えば、合計して、確率が１００％を超過しないように、その合計を標準化することによって計算し得る。加算演算及び標準化は、遺伝子間の他の関係、例えば、遺伝子Ｘが遺伝子Ｙの演算にどのように影響を及ぼすかに依存し得る。一実施形態によれば、確率は、例えば、遺伝子が互いの演算に影響を及ぼして疾患に対する暴露の可能性が極めて高い場合、直接合計し得る。他の選択肢として、これらの確率から何らかの他の平均値を算出し得る。更にもう１つの実施形態によれば、確率は、本出願では詳細に説明しないが、何らかの方法で全ての遺伝子が疾患に影響を及ぼすという結合効果に対して定義しでき、その結果は、前記研究結果が見い出された後、本発明のデータベース機構に供給し得る。例えば、研究結果は、遺伝子Ｘ及びＹが、共に３２％の確率で疾患Ｚに暴露するという結果等の実験的な研究結果であってよく、これは、一次平均として、ステップ３７８において記録される。更に、ユーザは、或る確率Ｔｒで前記疾患から保護する遺伝子Ｒを有し得ることに留意する必要がある。この場合、保護効果は、ユーザが前記疾患に暴露される確率を減ずることによって総合評価において考慮し得る。
【００９３】
一次平均の計算後又はステップ３７６の後、ステップ３８０に進み、そして、これによって、栄養素及び／又は医療物質が疾患に暴露する又は或る確率で疾患から保護するという規則等、データベース機構から前記遺伝子及び／又は疾患に関連する２次規則を調べる。
【００９４】
２次規則が見つかった場合、２次平均は、ステップ３８２において、２次規則及び／又は確率から計算される。例えば、栄養素Ａ及び医療物質Ｂが、確率Ｔａ＝１５％及びＴｂ＝２５％で、前記疾患Ｚから保護する場合、総合効果は、これらから、例えば、合計して、確率が１００％を超過しないように、その合計を標準化することによって計算し得る。加算演算及び標準化は、栄養素及び／又は医療物質間の他の関係、例えば、栄養素Ａが薬物Ｂの演算にどのように影響を及ぼすかに依存し得る。一実施形態によれば、確率は、例えば、栄養素及び／又は医療物質が互いの演算に影響を及ぼして疾患からの保護の可能性が極めて高い場合、直接合計し得る。他の選択肢として、これらの確率から何らかの他の平均計算を算出し得る。更にもう１つの実施形態によれば、本出願では詳細に説明しないが、全ての栄養素及び／又は医療物質が疾患に影響を及ぼすという結合効果に対する確率は、何らかの方法で決定でき、その結果は、前記研究結果が見い出された後、本発明のデータベース機構に供給し得る。例えば、研究結果は、栄養素Ａ及び薬物Ｂが、共に３５％の確率で疾患Ｚから保護するという結果等の実験的な研究結果であってよく、これは、二次平均として、ステップ３８２において記録される。更に、留意する必要があることは、ユーザによって用いられる栄養素及び／又は医療物質Ｋがあり得ることであり、これは、或る確率Ｔｋで、前記疾患に暴露し、この場合、暴露の影響は、ユーザが前記疾患に対して保護される確率を減ずることによって総合評価において考慮し得る。
【００９５】
更に、ステップ３８０及び３８２において、栄養素及び／又は医療物質に関する情報は、疾患に影響を及ぼす物質から選択して、前記疾患に対して可能な限り大きな保護効果を有する物質のリストを作成し得る。
【００９６】
ステップ３８４において、最終平均又は確率は、ユーザが前記疾患に罹患する又は前記疾患から保護されることに対して、求められた一次及び／又は２次平均から計算される。平均又は確率は、例えば、疾患への暴露の確率及びユーザが前記疾患から保護される確率を合計することによって、例えば、＋３２％（ユーザが疾患に暴露される確率）と−３５％（ユーザが疾患から保護される確率）とを加算することによって、また、得られた結果を標準化することによって、例えば、それが＋１００％を超過しないように又は０％を下回らないように標準化することによって、計算し得る。この場合、ユーザが疾患に暴露される確率は、０％である。他の選択肢として、ユーザが、疾患に暴露される＋３％の確率で保護されることを報告し得る。前記最終確率は、当然、ユーザが、栄養素及び／又は医療物質を摂取する場合のみ実現され、その２次規則は、前記物質に対する前記摂取限界に従って、２次平均を算出する時用いられた。
【００９７】
ステップ３８６において、推奨の基礎は、栄養素及び／又は医療物質を選択することによって、２次規則に関連する保護性の栄養素及び／又は医療物質に基づき形成し得るが、その情報は、２次平均の計算に用いられた。ステップ３８８において、前記栄養素及び／又は医療物質は、例えば、２番目に高い確率で疾患に保護的に影響を及ぼす物質が２番目に設定されるなどのように、有効な順番に設定し得る。前記物質に対して、摂取限界を与えることができ、これは、例えば、ある人に対して個別化でき、又は何らかの遺伝子もしくは疾患に依存し、更に、例えば、年齢及び生活の状況、例えば、妊娠に依存し得る。最終結果は、ステップ３９０において、例えば、遺伝子Ｘ及びＹが、確率Ｔｚ１で疾患Ｚに暴露すること、確率Ｔｚ２で疾患Ｚから保護する保護性の栄養素及び／又は医療物質Ａ及びＢ、また更に、暴露及び保護される最終確率Ｔのように報告される形態で、また、量を有する栄養素及び／又は医療物質のリストで、ユーザに提供し得るが、これに従うことで、前記確率Ｔに達し得る。
【００９８】
図４ｃは、本発明の実施形態による情報システムのユーザに対して個別化された栄養情報を生成するための例示方法４００のフローチャートである。本方法において、ユーザによって摂取される目的の食材又は食品に関する栄養情報は、ステップ４０２において、情報システムに出力された情報から受信され又分析し得る。出力された情報は、例えば、ユーザ、商店又はレストランによって供給される情報であって、ユーザによって摂取された、購入された、及び／又は注文された食物製品に関する情報であってよい。この情報には、製品の名前のみ又は製品を特定する他の情報、例えば、コードを含み得るが、これを利用して、情報システムは、例えば、コードをデータベースの情報と比較することによって、前記製品を識別し得る。前記コードは、例えば、製品に関連するバーコードであってよい。
【００９９】
商店チェーン、商店及び／又はレストランは、例えば、本発明の情報システムと契約を結び得る。この場合、商店チェーン、商店及び／又はレストランは、それらの製品に関連する情報を情報システムのデータベースに出力できるため、栄養情報等のある製品に関する情報は、製品を特定するコードと共にデータベースから見つけ得る。他の選択肢として、情報システムは、コードを送信した当事者のデータベース装置から、製品を特定するコード有する製品の情報を見つけ得る。出力され又ステップ４０２において分析される情報は、また、直接的な栄養情報、例えば、製品の栄養含有量であってよい。
【０１００】
他の選択肢として、また、以前出力された情報は、ステップ４０２において分析され、個別化された栄養情報及び指示を生成し得るが、この指示は、本発明の情報システムのユーザにとって最適な栄養を摂取するように、例えば、理想的な栄養の及び／又は代謝状態を実現するために、そのユーザに指示する。
【０１０１】
ユーザによって以前摂取された栄養素の量並びに質及び個別化された栄養情報の形成に必要とされる他の情報は、ステップ４０４において、分析し得る。以前摂取された栄養素に関する情報には、例えば、一日又は複数日からの、例えば、一週間又は一月からの情報を含み得る。ユーザによって摂取される栄養素に関する情報は、生データとして、又は最も好適には、処理された形態で、例えば、データベースにおいて見い出すことができるが、この情報に対して、本発明の情報システムはアクセスする。
【０１０２】
ステップ４０６において、例えば、ユーザの健康情報が含まれるデータベースからユーザの健康状態は、観察、分析及び／又は評価し得るが、本発明の情報システムは、この情報にアクセスする。更に、ステップ４０８において、ユーザの遺伝子型、即ち、ユーザの遺伝学的情報は、観察でき、この情報は、例えば、遺伝子マップデータベースに記憶し得るが、この情報に対して、本発明の情報システムはアクセスする。更に、科学的研究情報は、ステップ４０２−４０８に基づき、必要な少なくとも一部に対してステップ４１０において観察し得る。科学的研究情報は、例えば、疾患と栄養素との間の関係に関する生物学的及び／又は医学的研究の情報であってよい。科学的研究情報は、例えば、データベースに記憶し得るが、本発明の情報システムは、この情報にアクセスする。前記データベースは、例えば、図４ａに示すデータベース機構３５０による構成であってよい。
【０１０３】
個別化された栄養情報を形成するために、ステップ４０４−４１０において行なわれる測定に基づき定義されるユーザの生物学的及び精神的状態及びユーザの栄養及び代謝状態は、ステップ４１２において評価され、また、この情報は、ステップ４０２において、ユーザによって摂取されることを目的にした栄養の分析された栄養情報に配分される。ステップ４１４において、ステップ４０２で報告されたユーザによって摂取されることを目的にした栄養の適性は、ステップ４１２で行なわれた評価により評価し得る。ステップ４０２で報告されたユーザによって摂取されることを目的にした栄養が適切でない場合、又は、他の選択肢として、ユーザに対して非常に有害である場合、このことについての警告が、ステップ４１６で発せられる。
【０１０４】
栄養が適切な場合、ステップ４１８において、ステップ４０２で報告されたユーザによって摂取されることを目的にした栄養が、充分必要な栄養素を有するかどうか、そして、それらが最適な割合であるかどうか評価し得る。幾つかの栄養素をユーザによって摂取されることを目的にした栄養に付加すべきである場合、これに関する情報は、ステップ４２０において出力し得る。ステップ４２０で出力される情報は、例えば、トマト又はセロリ等の野菜をもっと追加するようにというアドバイスであってよい。ユーザによって摂取されることを目的にした栄養が、摂取に適切な場合、これに関する情報は、ステップ４２２において、出力し得る。
【０１０５】
ステップ４１６、４２０及び／又は４２２において出力される情報は、例えば、ＳＭＳメッセージによってユーザの移動局へ、ユーザのｅ−メールアドレスへ、デジタルテレビを介して、インターネットのユーザのサービスページへ、又は電話によってなど、ユーザが報告したアドレスに出力し得る。情報は、また、手紙又はファックスで出力し得る。警告は、ステップ４０２で情報を出力した他の人へも、例えば、レストラン従業員又は医療従事者に対しても出力し得る。最も好適には、ステップ４１６、４２０及び／又は４２２において出力される情報は、本発明のＦＰＣユーザインターフェイスを利用して、出力される。
【０１０６】
方法４００において、個別化された栄養情報は、確率及び／又は異なる栄養素の適性を表す重み付け係数を計算することによって、方法３８０と同様に形成し得る。特に留意する必要があることは、各情報の関係において、少なくとも１つの確率及び／又は重み付け係数及び少なくとも１つの第２の情報に対する基準が存在するため、少なくとも１つの第２の情報を参照する際、また、最終結果を評価する際、少なくとも１つの確率及び／又は重み付け係数を用い得ることである。
【０１０７】
図５ａは、ユーザによって摂取される食物製品、及び本発明による栄養素及び／又は医療物質情報に関する情報を収集するためのＦＰＣプログラムの例示ユーザインターフェイス５００を示す。図５ａに示すユーザインターフェイス５００は、ユーザ用の通常のユーザインターフェイスであるが、また、レストラン、商店及び医療従事者のシステムにおいて動作するユーザインターフェイスは、少なくとも部分的にユーザインターフェイス５００と同様であってよい。
【０１０８】
ユーザインターフェイス５００は、例えば、コンピュータ、移動局又はＰＤＡ装置、デジタルテレビを利用して、及び／又はインターネットを介して、提供し動作し得る。他の選択肢として、ユーザインターフェイス５００は、少なくとも部分的に紙上でも提供し得る。最も好適には、ユーザインターフェイス５００は、インターネットを介して及び／又は携帯電話によって運用されるユーザインターフェイスである。この場合、ユーザインターフェイスは、例えば、ＸＭＬ又はＸＭＬ派生言語を利用して実現し得る。
【０１０９】
ユーザインターフェイス５００には、肉、魚及び果物等の食物製品を定義するためのフィールド５０２と、エネルギ及びたんぱく質等の栄養素及び／又は医療物質を定義するためのフィールド５０４と、食物製品、栄養素及び／又は医療物質の量を定義するためのフィールド５０６と、を含み得る。ユーザインターフェイス５００には、また、定義される製品の製造方法を規定するためのフィールド５０８と、定義された製品が摂取された時間を規定するためのフィールド５１０と、を含み得る。
【０１１０】
食物製品を定義するためのフィールド５０２には、また、サブメニューを含み得る。この場合、ユーザは、製品を更に厳密な方法で規定し得る。サブメニューを用いることによって、ユーザは、例えば、フィールド５０２で定義された魚は、カワカマスであるというサブメニューから選択し得る。同様に、ユーザインターフェイス５００の他のフィールド５０４、５０６、５０８、５１０には、少なくとも１つの特定化サブメニューを含み得る。
【０１１１】
他の選択肢として、ユーザインターフェイス５００のフィールド５０２−５１０の少なくとも一部は、サブメニューフィールド以外に、他の方法で実現し得る。フィールド５０２−５１０は、また、例えば“カワカマス、３００ｇ”など、テキストが自由形式で書き込まれるフィールドであってよい。また、当該フィールドによって定義されるパラメータに対して所望の値を定義するコードは、これらのフィールドに書き込み得る。食物製品カワカマスに相当するコードは、例えば、Ｈ１であり、この場合、ユーザは、カワカマスを意味するコード“Ｈ１”を直接食物製品フィールド５０２に書き込み得る。通常、コードには、文字、数字及び／又は特殊文字を含み得る。
【０１１２】
一実施形態によれば、ユーザは、また、フィールド５０２−５１０の様々なパラメータについて記述するバーコード表と、バーコードリーダとを有することができ、このため、ユーザは、例えば、ユーザインターフェイス５００から各フィールド５０２−５１０をアクティブにし、そして、バーコードペン等のバーコードリーダを用いて、バーコード表から食物製品、栄養素及び／又は医療物質、その量、製造方法及び時間に関する情報を読み出し得る。一実施形態によれば、バーコードは、また、他の選択肢として、製品から直接読み取り得る。ユーザインターフェイスの或るフィールドは、また、ユーザインターフェイスの幾つかのフィールドに関係付けるために組み合わせ得る。例えば、量フィールドは、食物製品フィールド５０２及び栄養素及び／又は医療物質フィールド５０４の双方と組み合わせ得る。ＦＰＣプログラムのユーザインターフェイス５００は、また、スクロールバー５１１及びパラメータを選択するためのアイコン／絵図等の選択コントローラを有し得る。
【０１１３】
ユーザインターフェイス５００には、また、”追加”キー５１２、”削除”キー５１４、”変更”キー５１６、”取消”キー５１８、及び”送信”キー５２０等の機能を実行するためのキーを含み得る。”追加”キー５１２は、例えば、幾つかの食物製品をフィールド５０２又は栄養素フィールド５０４に追加するために用い得る。”削除”キー５１４は、既に定義されたパラメータをフィールド５０２−５１０から削除するために用いることができ、また、”変更”キー５１６は、フィールド５０２−５１０のパラメータを変更するために用い得る。更に、“送信”キー５２０は、記入済みのユーザインターフェイスフォーム５００を本発明によるデータサーバに送信するために用い得る。他の選択肢として、”取消”キー５１８は、動作を中断するために用い得る。
【０１１４】
本発明のユーザインターフェイス５００には、また、自由形式テキストをデータサーバに書き込むためのフィールド５２２を含み得る。ユーザインターフェイスには、更に、ユーザのユーザＩＤ及び／又はパスワードを書き込むためのフィールド５２４を含み得るため、第三者が他のユーザの情報を変更及び／又は読み出さないことを保証できる。
【０１１５】
他の選択肢として、ユーザインターフェイス５００は、また、例えば、図による食品皿を利用して、少なくとも部分的に図によって提供し得る。この場合、ユーザは、マウス、キーボード又はタッチ画面等のコントローラを用いて、例えば、栄養素及び／又は医療物質及び食物製品を示すアイコン及び／又は絵図をクリックしたり、指したり又はドラッグしたりして、摂取されることを目的にした栄養素及び／又は医療物質及び食物製品を食品皿に追加し得る。
【０１１６】
本発明の一実施形態によれば、ユーザインターフェイス５００のＦＰＣプログラムは、学習式ユーザインターフェイスであるため、自身のプロファイルは、有利な点として、ユーザインターフェイスに各ユーザ用に作成し得る。この場合、ユーザインターフェイスは、例えば、一日の所定の回数に従って、各ユーザの食べ物及び飲み物の習慣及び栄養及び医学的習慣を学習し得るため、ユーザインターフェイスは、状況を予想し、ユーザが摂取することが多い或る食物製品、栄養素及び／又は医療物質、量、製造方法及び／又は回数をユーザに提案し得る。例えば、２５０ｇの粥、卵、二切れのパン、２デシリットルのオレンジジュースを毎朝、また、ヨーグルト、ミューズリー及びバナナを夕方食べるユーザに対しては、ユーザインターフェイスは、前記食品製品を既定値として提案し得る。従って、ユーザは、提案を受取るだけでよい。
【０１１７】
しかしながら、留意する必要があることは、ユーザの食物製品情報及び栄養素及び／又は医療物質情報を収集するための本発明のユーザインターフェイス５００には、また、情報を更に詳細に識別するための更に多くのフィールドと、異なる機能を実行するための更に多くのキー又は選択コントローラと、を含み得ることである。他の選択肢として、本発明のユーザインターフェイス５００は、図５ａに示すユーザインターフェイスの実施形態よりも少ない数のフィールド、キー及び選択コントローラを用いることによっても実現し得る。更に、留意する必要があることは、前記フィールドに加えて、ユーザインターフェイス５００は、本発明の情報サービスによって生成される最適な栄養及び／又は代謝状態を実現するための最適な栄養情報及び指示が既定値として戻されるフィールドを含み得ることである。
【０１１８】
更に、留意する必要があることは、本発明の一実施形態によれば、また、一人前の食事又はユーザによって報告され、摂取されることを目的にした図による食品皿に対して情報システムによって形成される最適な栄養素応答は、図示したユーザインターフェイス５００と同様なユーザインターフェイスを利用して、ユーザに出力し得ることである。この応答は、少なくとも部分的に、例えば、最適な図による仮想の食品皿を利用して、図によって出力し得る。
【０１１９】
図５ｂは、本発明によるユーザのエネルギ摂取及び環境条件に関する情報を収集するためのＦＰＣプログラム５５０の例示ユーザインターフェイスを示す。ユーザインターフェイス５５０は、例えば、コンピュータ、移動局又はＰＤＡ装置、デジタルテレビを利用して、及び／又はインターネットを介して、提供し動作し得る。他の選択肢として、ユーザインターフェイス５５０は、少なくとも部分的に紙上でも提供し得る。最も好適には、ユーザインターフェイス５５０は、インターネットを介して及び／又は移動局を利用して運用されるユーザインターフェイスであるため、ユーザインターフェイスは、例えば、ＸＭＬ又はＸＭＬ派生言語を利用して実現し得る。
【０１２０】
通常、ユーザインターフェイス５５０には、ウォーキング、ジョギング、体操及び水泳等のユーザによる身体的運動を定義するためのフィールド５５２と、例えば、１時間及び３０分行なわれる身体的運動の継続時間を定義するためのフィールド５５４と、例えば、７，２００メートルなどの行なわれた身体的運動の量を定義するためのフィールド５５６と、が含まれる。ユーザインターフェイス５５０には、また、例えば、きつい、普通、又は簡単といった身体的運動の難度を定義するためのフィールド５５８と、身体的運動の時間を定義するためのフィールド５６０と、を含み得る。
【０１２１】
身体的運動を定義するためのフィールド５５２には、また、サブメニューを含み得る。この場合、ユーザは、更に厳密な方法で身体的運動の種類を規定し得る。サブメニューを用いることによって、ユーザは、例えば、フィールド５５２で定義されたランニングは、地形ランニングであるというサブメニューから選択し得る。同様に、また、他のフィールド５５４、５５６、５５８、５６０には、少なくとも１つの規定用サブメニューを含み得る。
【０１２２】
他の選択肢として、ユーザインターフェイス５５０のフィールド５５２−５６０の少なくとも一部は、メニューフィールド以外に、何らかの他の方法で実現し得る。フィールド５５２−５６０は、また、例えば、“地形ランニング、７、２００ｍ”といったテキストが自由形式で書き込み得るフィールドであってよい。また、前記フィールドによって定義されたパラメータ用の所望の値を定義するコードは、フィールドに書き込み得る。地形ランニングに相当するコードは、例えば、Ｊｍであってよい。この場合、ユーザは、地形ランニングを表すコード“Ｊｍ”を身体的運動フィールド５５２に直接書き込み得る。通常、コードには、文字、数字及び／又は特別な文字を含み得る。
【０１２３】
一実施形態によれば、ユーザは、フィールド５５２−５６０の様々なパラメータついて記述するバーコード表と、バーコードリーダと、を有し得る。この場合、ユーザは、例えば、ユーザインターフェイスから各フィールド５５２−５６０をアクティブにし、そして、身体的運動、継続時間、量、難度、及び時間に関する情報をバーコード表からバーコードペン等のバーコードリーダを用いて読み出し得る。ＦＰＣプログラムのユーザインターフェイス５５０は、また、パラメータを選択するための選択コントローラ、例えば、スクロールバー５６１を有し得る。
【０１２４】
更に、ユーザインターフェイス５５０には、コマンドを実行するためのキー、例えば、”追加”キー５６２、”削除”キー５６４、”変更”キー５６６、”取消”キー５６８、及び”送信”キー５７０を含み得る。”追加”キー５６２は、例えば、幾つかの身体的運動をフィールド５５２に追加するために用い得る。”削除”キー５６４は、既に定義されたパラメータをフィールド５５２−５６０から削除するために用い得る。”変更”キー５６６は、フィールド５５２−５６０のパラメータ変更するために用い得る。更に、”送信”キー５７０は、本発明によるデータサーバに記入済みのユーザインターフェイスフォーム５５０を送信するために用い得る。他の選択肢として、”取消”キー５６８は、動作を中断するために用い得る。
【０１２５】
本発明によるユーザインターフェイス５５０には、更に、自由形式テキストをデータサーバに書き込むためのフィールド５７２を含み得る。ユーザインターフェイスは、また、ユーザのユーザＩＤ及び／又はパスワードを書き込むためのフィールド５７４を含み得るため、第三者が他のユーザの情報を変更及び／又は読み出さないことを保証できる。
【０１２６】
本発明の一実施形態によれば、ＦＰＣプログラムのユーザインターフェイス５５０は、学習式ユーザインターフェイスである。この場合、自身のプロファイルは、有利な点として、ユーザインターフェイスに各ユーザ用に作成し得る。この場合、ユーザインターフェイスは、例えば、一日の所定の回数に従って、各ユーザの身体的スポーツ習慣を学習し得るため、ユーザインターフェイスは、状況を予想し、ユーザが行なうことが多い或る身体的運動、それらの継続時間、量、身体的運動の難度及び／又は回数をユーザに提案し得る。例えば、ユーザインターフェイスは、週日の朝毎に１．６ｋｍ歩き、火曜日及び木曜日の夕方毎に１０００ｍ泳ぐユーザに対しては、前記身体的運動を既定値として提案し得る。この場合、ユーザは、提案を受取るだけでよい。
【０１２７】
他の選択肢として、ユーザインターフェイス５５０は、少なくとも部分的に図によって提供し得るため、ユーザは、マウス、キーボード又はタッチ画面を用いることによって、例えば、身体的運動、それらの難度及び継続時間を示すアイコン及び／又は絵図をクリックたり、指したり又はドラッグしたりして、自分の身体的運動について記述する情報を追加し得る。
【０１２８】
しかしながら、留意する必要があるのは、ユーザのエネルギ摂取及び環境条件について記述する情報を収集するための本発明によるユーザインターフェイス５５０には、また、エネルギ摂取又は環境条件に関する情報を更に厳密に識別するための極めてより多くの数の様々なフィールドと、異なる機能を実行するための極めてより多くの数の様々なキー又は選択コントローラと、を含み得ることである。他の選択肢として、本発明のユーザインターフェイス５５０は、図５ｂに示すユーザインターフェイスの実施形態よりも少ない数のフィールド、キー及び選択コントローラを用いることによっても実現し得る。更に、留意する必要があることは、前記フィールドに加えて、ユーザインターフェイス５５０は、本発明の情報サービスによって生成される最適な栄養及び／又は代謝状態を実現するための最適な栄養情報及び指示が既定値として戻されるフィールドを含み得ることである。
【０１２９】
更に、留意する必要があるのは、本発明の一実施形態によれば、情報システムは、また、身体的運動のための提案を形成し、また、それによって形成される最適な身体的運動及び身体的運動の難度並びに継続時間を、図５５０に示すユーザインターフェイスと同様なユーザインターフェイスを利用して提示し得ることである。この提案は、少なくとも部分的に、図によっても出力し得る。
【０１３０】
図６は、本発明に基づく個別化された栄養情報を形成するための例示システム６００のフローチャートである。通常、システム６００には、個別化された栄養及び医学的情報を形成するために必要とされる様々な種類の情報を収集し、個別化された栄養及び医学的情報を形成するための情報ユニット６０２が含まれる。最も好適には、情報ユニット６０２は、例えば、インターネットのサーバ６０２であってよく、個別化された栄養及び医学的情報を形成するために必要とされる装置を含み、情報は、移動局を介してサーバへ接続し得る。情報ユニット６０２は、また、他の選択肢として、デジタルテレビの通信ネットワークに対して情報を生成し得る。
【０１３１】
通常、情報ユニット６０２には、情報を記憶するためのデータベース装置６０４が含まれる。データベース装置６０４には、例えば、図４ａに示すデータベース機構３００と同様なデータベース機構を含み得る。情報は、例えば、食材、遺伝的性質、生物学的、医学的、分析生物学的及び医学的研究に関する情報、実験的情報、ユーザについて記述する情報及びユーザの状況記述情報、及びユーザの環境について記述する情報であってよい。更に、データベース装置６０４には、ある民族又は国籍に関連する情報等の基準グループを参照する情報と、それら彼らの可能な疾患、生活環境及びそれらによって通常摂取される食材に関連する情報と、を含み得る。データベース装置６０４は、少なくとも部分的に情報システム６００の情報ユニット６０２に一体化し得る。他の選択肢として、データベース装置６０４は、情報ユニット６０２がデータベース装置６０４へのデータ伝送接続６０６を有するように、情報ユニット６０２から別個に分散し得る。
【０１３２】
通常、情報ユニット６０２には、また、生産者６１２、品質管理ユニット６１４、医療従事者ユニット６１５、科学的研究ユニット６１６、商店システム６１８、及びレストランシステム６２０等、他の当事者とのデータ伝送接続６０６及び６１０を生成するための装置６０８が含まれる。更に、情報ユニット６０２は、コンピュータ６２２、移動局６２４、ＰＤＡ装置６２６及び／又はデジタルテレビ６２８等のデータ端末装置を介して、ユーザとのデータ伝送接続６１０状態にあるように構成し得る。
【０１３３】
情報ユニット６０２には、また、生産者６１２、品質管理ユニット６１４、医療従事者ユニット６１５、科学的研究ユニット６１６、商店システム６１８、及びレストランシステム６２０等の各当事者を特定するための装置６３６を含み得るため、各当事者６１２−６２０は、様々な食物製品及びそれらの栄養含有量、又は食物製品に含まれる物質に関する彼らが形成した情報と、ある食材に起因する可能な疾患及びそれらの相互関係に関する情報と、を出力し得る。
【０１３４】
ユーザによって購入された又は注文された食物製品に関する情報は、例えば、商店システム６１８及び／又はレストランシステム６２０から情報システム６００の情報ユニット６０２に購入又は注文に関して自動的に出力し得る。情報システムによって必要とされるユーザの識別情報は、例えば、磁気カードに記憶し得る。この場合、ユーザの磁気カードは、購入又は注文に関して読み出し得る。また、この場合、購入又は注文の食物製品の情報は、情報機構の情報ユニット６０２に中継される。他の選択肢として、ユーザの個別化されたユーザＩＤは、商店又はレストランのシステムに供給し得る。この場合、購入された又は注文された食物製品の情報は、情報システム６００の情報ユニット６０２に中継される。
【０１３５】
情報ユニット６０２とデータ伝送接続６１０された当事者６１２−６２８には、有利な点として、情報に従いＦＰＣプログラムを実行し、ＦＰＣプログラムの情報を送信及び更新し、また、情報ユニット６０２からデータ端末装置６１２−６２８への情報を受信するための装置６３０を含み得る。本発明の一実施形態によれば、装置６３０には、また、個別化された及び／又は最適な栄養情報を形成するための本発明による情報システム６００の情報ユニット６０２を少なくとも部分的に含み得る。情報ユニット６０２又は情報ユニット６０２の少なくとも一部は、例えば、何らかの情報ネットワークからのプログラムによってこれら当事者のデータ端末装置６１２−６２８にダウンロードし得る。または、それは、当業者に公知のデータ伝送を目的にした手段を用いて、例えば、ＣＤＲＯＭ又はＤＶＤディスク上に出力し得る。
【０１３６】
更に、通常、情報ユニット６０２には、メモリ装置６３２と、情報を処理及び分析し、個別化された最適な栄養情報を形成するための装置６３４と、が含まれる。情報ユニット６０２は、有利な点として、データベース装置の情報を分析して、分析された情報を利用して、個別化された栄養情報を形成するためのファジー論理を用いる。栄養ユニットは、例えば、自己組織化マップ（ＳＯＭ）を用いるＷｅｂｓｏｍ法を利用して、装置６０２、６０８、６３２及び６３４を用いて、情報を操作及び処理し得る。または、他の選択肢として、情報は、また、手作業で処理し得る。更に、栄養ユニットは、また、装置６０２、６０８、６３２及び６３４を利用して、ユーザの基準プロファイル等の様々な当事者又は要素の基準プロファイルを定義し得る。
【０１３７】
情報ユニット６０２には、更に、例えば、ユーザのＩＤ及びパスワードを利用してユーザを特定するための装置６３４を含み得る。ユーザは、また、携帯電話番号等のユーザの移動局識別子で特定し得る。
【０１３８】
更に、通常、情報ユニット６０２には、形成された個別栄養情報を次の少なくとも１つ、即ち、生産者６１２、品質管理ユニット６１４、医療従事者ユニット６１５、科学的研究ユニット６１６、商店システム６１８、レストランシステム６２０、又はコンピュータ６２２、移動局６２４、ＰＤＡ装置６２６、及びデジタルテレビ６２８等、何らかのユーザのシステムに出力するための装置６３８が含まれる。個別化された最適な情報は、また、手紙又はファックスによって、更に、電話で聞き取ることによって出力し得る。
【０１３９】
留意する必要があるのは、データベース装置及び当事者のデータ端末装置６１２−６２８に、特に移動局ｓ６２４及び６２６に記憶される情報は、派生情報であってよく、解読された時でさえ、それ自体では、個人に関するデリケートな情報を露呈しない可能性があるが、栄養及び薬剤の選択に関する処理を明確にサポートするということである。例えば、ユーザの移動局は、遺伝子マップの一部等、ユーザの遺伝子マップに関する情報と、識別子情報（ＩＤ）等のユーザに関連する情報と、を有し得る。
【０１４０】
本発明のシステムに用いられるデータ伝送接続６１０は、当業者に公知の任意のデータ伝送接続であってよい。特に、システム６００は、次のデータ伝送仕様、即ち、ＴＣＰ／ＩＰ、ＣＤＭＡ、ＧＳＭ、ＨＳＣＳＤ、ＧＰＲＳ、ＷＣＤＭＡ、ＥＤＧＥ、ブルートゥース、ＵＭＴＳ、Ｔｅｌｄｅｓｉｃ、Ｉｒｉｄｉｕｍ、Ｉｎｍａｒｓａｔ、ＷＬＡＮ、ＤＩＧＩ−ＴＶ、ＩＳＤＮ、ｘＤＳＬ、ＲＰＣ、ｈｏｍｅＰｎａ、及びｉモードの少なくとも１つと互換性があってよい。更に、情報ユニット６０２及び当事者のデータ端末装置６１２−６２８には、本発明のＦＰＣプログラムを実行するための次のオペレーティングシステム、即ち、Ｕｎｉｘ(登録商標)、ＭＳ−ｗｉｎｄｏｗｓ、ＥＰＯＣ、ＮＴ、ＭＳＣＥ、Ｌｉｎｕｘ、ＰａｌｍＯＳ、及びＧＥＯＳの少なくとも１つを含み得る。
【０１４１】
図７は、本発明によって、ユーザの栄養及び／又は医療物質情報更新し、また、個別化された栄養情報を生成するための例示システム７００のフローチャートである。本例において、本発明の情報サービスのユーザは、レストラン、商店、ジムなどにおける及び／又は医者における一方の当事者７０２と取引を行なう。当事者７０２には、本発明のＦＰＣプログラムを実行するための装置６３０を含み得る。この場合、当事者７０２のシステムは、自分のデータ端末装置を利用して、本発明の情報サービスのユーザを識別し得る。ユーザのデータ端末装置は、例えば、移動局６２４、ＰＤＡ装置６２５、又はスマートカードもしくは磁気カード７０６、本発明のＦＰＣプログラムを実行するための及び／又はユーザの識別を可能にするための装置６３０が含まれるデータ端末装置６２４、６２６、７０６、であってよい。
【０１４２】
一実施形態によれば、ユーザは、例えば、商店及び／又はレストラン７０２を訪問し得る。この場合、例えば、購入代金を支払う際、商店及び／又はレストランのシステム７０２の装置６３０は、データ端末装置６２４、６２６、７０６の装置６３０を利用して、ユーザを識別する。本発明の情報サービスにとって不可欠なユーザの情報は、好適には、データ端末装置６２４、６２６、７０６の装置６３０に一体化し得る。この場合、商店及び／又はレストランのシステム７０２は、例えば、ブルートゥース技術７０４を用いるシステム等の赤外線又は無線リンクを介して、ユーザのデータ端末装置６２４、６２６、７０６からユーザの情報を読み出し得る。ユーザの情報を読み出した後、商店及び／又はレストランのシステム７０２は、ユーザによってなされた購入に関する情報を本発明の情報システムの情報ユニット６０２に送信し得る。更に、商店及び／又はレストランのシステム７０２には、また、製品の栄養情報を記憶するためのデータベース装置７０８を含み得る。
【０１４３】
一実施形態によれば、システム７００は、ユーザの購入に関する情報が、ユーザに出力されるように構成することもできる。この場合、ユーザは、自分が行なった購入を確認し得る。例えば、ユーザは、製品の一部を削除したり、当該情報に何らかの追加情報を追加したり、又は出力された情報を受取ることができる。情報は、好適には、例えば、ＳＭＳメッセージ又はｅ−メールとして、移動局、ＰＤＡ装置、デジタルテレビ、又はコンピュータ等のユーザのデータ端末装置に出力される。他の選択肢として、情報は、また、インターネットにあるユーザのサービスページに出力し得る。
【０１４４】
図７に示す当事者７０２は、医療従事者ユニットであってもよい。この場合、例えば、ユーザの健康に関する情報は、上述した方法で本発明の情報ユニット６０２に出力し得る。本発明のシステム７００は、システム７００が、ユーザに最適な栄養及び／又は医学的情報を生成する際、ユーザによって確認された情報だけを用いるように構成し得る。他の選択肢として、システム７００は、ユーザの健康に関する情報、及び／又は商店及び／又はレストランでなされた購入に関する情報が、自動的に情報ユニット６０２に登録されて、ユーザに宛てられる最適な栄養情報を形成するために直ちに用い得るように構成し得る。
【０１４５】
本発明による解決策の幾つかの実施形態だけを上記に開示した。本発明の原理は、当然ながら、実施例の用途における詳細及び領域の一部に対して、特許の請求項の範囲内において変更し得る。システムは、特に、個別化された栄養情報を形成するために適用し得るが、しかしながら、本発明は、これに限定されるものではなく、本発明は、また、家畜及び牛等、他の動物の栄養情報を形成するためにも適用し得る。
【０１４６】
更に、本発明は、１つの情報システムだけの情報ユニットのユーザに限定されず、データ通信ネットワークは、当業者に公知のデータ伝送システムを利用して、互いに対して接続し得る幾つかの単一情報システムを有し得る。更に、留意する必要があるのは、本発明の情報システムは、少なくとも部分的に、ユーザのデータ端末装置に一体化し得ることである。
【０１４７】
更に留意する必要があるのは、最適な栄養以外に、また、本発明を利用して、ユーザに対して最適な薬剤を計画し得ることである。本発明の一実施形態によれば、本発明を用いると、例えば、構成材料に従って、医療物質及び／又は栄養素及び／又は更に幾つか他の医療物質及び／又は栄養素の濃度、吸収及び影響に対する、また、ユーザの代謝に対する栄養素及び／又は他の医療物質の影響が考慮されるように、ユーザに対して最適な栄養及び／又は薬物の投与量を調製することが可能である。
【０１４８】
更に、本発明の情報機構は、フィードバック、及びアレルギ、疾患、好きなものに関する情報等、少なくともユーザの情報の一部を、例えば、ユーザのデータ端末装置に、ユーザが選択する言語で与え得る。更に留意する必要があるのは、本発明のシステム及びデータベース機構の少なくとも一部は、コンピュータソフトウェア又はソフトウェア製品を利用して、実現し得ることである。
【符号の説明】
【０１４９】
６１２・・・生産者
６１４・・・品質管理
６１６・・・科学的調査
６１８・・・販売業者
６２０・・・レストラン
６２８・・・デジタルテレビ。
【図１】
0005269633.tif 000002
【図２】
0005269633.tif 000003
【図３】
0005269633.tif 000004
【図４ａ】
0005269633.tif 000005
【図４ｂ】
0005269633.tif 000006
【図４ｃ】
0005269633.tif 000007
【図５ａ】
0005269633.tif 000008
【図５ｂ】
0005269633.tif 000009
【図６】
0005269633.tif 000010
【図７】
0005269633.tif 000011